(57)【要約】【課題】室内の汚れ度等に関係なく、人の不在時に室内に蓄積した塵埃を積極的に除去して快適な室内環境を維持できる空気調和機を提供すること。【解決手段】人の在否を検知する人体検知センサと、室内空気に含まれる塵埃を吸塵する空気清浄ユニット４２を室内機２に設け、人体検知センサにより人の不在を検知したときに、空気清浄ユニット４２を作動するとともに室内機２に設けられた室内ファン８の速度を空調運転時の速度より増大させる不在時クリーニングを行うようにした。【選択図】図３０
2009002602.tif 000002
【特許請求の範囲】
【請求項１】
室内機に設けられた人体検知センサにより人の在否を検知して運転を制御するとともに、室内空気に含まれる塵埃を吸塵する空気清浄ユニットを備えた空気調和機であって、
前記人体検知センサにより人の不在を検知したときに、前記空気清浄ユニットを作動するとともに前記室内機に設けられた室内ファンの速度を空調運転時の速度より増大させる不在時クリーニングを行うようにしたことを特徴とする空気調和機。
【請求項２】
前記不在時クリーニング時に、前記室内機に設けられ上下の風向制御を行う上下羽根が、前記室内機からの吹き出し空気を略直下に吹き出す直下気流と略水平方向に吹き出す天井気流とを繰り返し行うようにしたことを特徴とする請求項１に記載の空気調和機。
【請求項３】
前記室内機の開口部に設けられたプレフィルタを自動的に清掃するプレフィルタ自動清掃装置をさらに備え、前記不在時クリーニング終了時に、前記プレフィルタ自動清掃装置を作動させて前記プレフィルタの自動清掃を行うようにしたことを特徴とする請求項１あるいは２に記載の空気調和機。
【請求項４】
前記プレフィルタが前記空気清浄ユニットの集塵部を兼用することを特徴とする請求項３に記載の空気調和機。
【請求項５】
前記室内機が換気ファンを備え、前記不在時クリーニング時に、前記換気ファンを作動させるようにしたことを特徴とする請求項１乃至４のいずれか１項に記載の空気調和機。
【請求項６】
前記不在時クリーニング中に前記人体検知センサにより人を検知した場合には、前記プレフィルタ自動清掃装置を停止する一方、前記換気ファンを継続して運転するようにしたことを特徴とする請求項５に記載の空気調和機。
【請求項７】
前記室内機に複数の人体検知センサを設け、空調すべき領域を前記複数の人体検知センサにより複数の領域に区分し、人がいる頻度に応じて前記複数の領域の各々の領域特性を設定し、前記不在時クリーニングを人がいる頻度が高い領域特性を持つ領域に対して行うようにしたことを特徴とする請求項１乃至６のいずれか１項に記載の空気調和機。
【発明の詳細な説明】
【技術分野】
【０００１】
本発明は、室内機に人の在否を検知する人体検知センサを設けた空気調和機に関し、特に人体検知センサにより人の不在を検知したときに、空気清浄ユニットを作動させて室内空気を素早く浄化する技術に関する。
【背景技術】
【０００２】
近年の健康志向ブームもあり、空気調和機の場合、空気清浄機能、換気機能、酸素富化機能を備えたものも多数開発され実用化されている。これらの機能を備えた空気調和機は、室内の汚れを検知して、検出値に応じてそれぞれの機能を作用させたり機能量を調節することで快適な室内環境を実現している。
【０００３】
また、従来の空気調和機の中には、運転停止中に必要に応じて室内空気を浄化するためのパトロール運転モードを設けたものもある。パトロール運転では、汚れセンサあるいは酸素濃度センサが常に室内の空気の汚れや酸素濃度を監視しており、空気が汚れた場合や低酸素濃度を検知すると、換気運転や空気清浄運転あるいは酸素富化運転を自動的に開始し、室内の空気や酸素状態が回復すると、自動的に運転を停止するようにしている（例えば、特許文献１参照。）。
【０００４】
【特許文献１】特開２００６−１３２８１６号公報
【発明の開示】
【発明が解決しようとする課題】
【０００５】
しかしながら、特許文献１に記載の空気調和機のように、空気が汚れた場合や低酸素濃度を検知した場合にのみ換気運転や空気清浄運転あるいは酸素富化運転を自動的に開始するだけでは十分と言えず、人の不在時に室内を積極的に浄化したいという要望がある。
【０００６】
本発明は、従来技術の有するこのような問題点に鑑みてなされたものであり、室内空気の汚れ度等に関係なく、人の不在時に室内に蓄積した塵埃を積極的に除去して快適な室内環境を維持できる空気調和機を提供することを目的としている。
【課題を解決するための手段】
【０００７】
上記目的を達成するために、本発明のうちで請求項１に記載の発明は、室内機に設けられた人体検知センサにより人の在否を検知して運転を制御するとともに、室内空気に含まれる塵埃を吸塵する空気清浄ユニットを備えた空気調和機であって、前記人体検知センサにより人の不在を検知したときに、前記空気清浄ユニットを作動するとともに前記室内機に設けられた室内ファンの速度を空調運転時の速度より増大させる不在時クリーニングを行うようにしたことを特徴とする。
【０００８】
また、請求項２に記載の発明は、前記不在時クリーニング時に、前記室内機に設けられ上下の風向制御を行う上下羽根が、前記室内機からの吹き出し空気を略直下に吹き出す直下気流と略水平方向に吹き出す天井気流とを繰り返し行うようにしたことを特徴とする。
【０００９】
さらに、請求項３に記載の発明は、前記室内機の開口部に設けられたプレフィルタを自動的に清掃するプレフィルタ自動清掃装置をさらに備え、前記不在時クリーニング終了時に、前記プレフィルタ自動清掃装置を作動させて前記プレフィルタの自動清掃を行うようにしたことを特徴とする。
【００１０】
また、請求項４に記載の発明は、前記プレフィルタが前記空気清浄ユニットの集塵部を兼用することを特徴とする。
【００１１】
また、請求項５に記載の発明は、前記室内機が換気ファンを備え、前記不在時クリーニング時に、前記換気ファンを作動させるようにしたことを特徴とする。
【００１２】
また、請求項６に記載の発明は、前記不在時クリーニング中に前記人体検知センサにより人を検知した場合には、前記プレフィルタ自動清掃装置を停止する一方、前記換気ファンを継続して運転するようにしたことを特徴とする。
【００１３】
また、請求項７に記載の発明は、前記室内機に複数の人体検知センサを設け、空調すべき領域を前記複数の人体検知センサにより複数の領域に区分し、人がいる頻度に応じて前記複数の領域の各々の領域特性を設定し、前記不在時クリーニングを人がいる頻度が高い領域特性を持つ領域に対して行うようにしたことを特徴とする。
【発明の効果】
【００１４】
本発明によれば、人の不在時に空気清浄ユニットを作動するとともに室内ファンの速度を空調運転時の速度より増大させるようにしたので、室内に蓄積した塵埃が舞い上がり、舞い上がった塵埃を空気清浄ユニットにより除塵することができ、快適な室内環境を常に維持することができる。
【発明を実施するための最良の形態】
【００１５】
以下、本発明の実施の形態について、図面を参照しながら説明する。
（空気調和機の全体構成）
一般家庭で使用される空気調和機は、通常冷媒配管で互いに接続された室外機１（図３４参照）と室内機とで構成されており、図１及び図２は、本発明にかかる空気調和機の室内機を示している。
【００１６】
室内機は、本体２と、本体２の前面開口部２ａを開閉自在の可動前面パネル（以下、単に前面パネルという）４を有しており、空気調和機停止時は、前面パネル４は本体２に密着して前面開口部２ａを閉じているのに対し、空気調和機運転時は、前面パネル４は本体２から離反する方向に移動して前面開口部２ａを開放する。なお、図１は前面パネル４が前面開口部２ａを閉じた状態を示しており、図２は前面パネル４が前面開口部２ａを開放した状態を示している。
【００１７】
図３に示されるように、本体２の内部には、熱交換器６と、前面開口部２ａ及び上面開口部２ｂから取り入れられた室内空気を熱交換器６で熱交換して室内に吹き出すための室内ファン８と、熱交換した空気を室内に吹き出す吹出口１０を開閉するとともに空気の吹き出し方向を上下に変更する上下羽根１２と、空気の吹き出し方向を左右に変更する左右羽根（図示せず）とを備えており、前面開口部２ａの下方の本体２には、前面開口部２ａの吹出口１０側で開閉する中羽根１４が中羽根駆動機構１６を介して揺動自在に取り付けられている。さらに、前面パネル４上部は、その両端部に設けられた２本のアーム１８，２０を介して本体２上部に連結されており、アーム１８に連結された駆動モータ（図示せず）を駆動制御することで、空気調和機運転時、前面パネル４は空気調和機停止時の位置（前面開口部２ａの閉塞位置）から前方斜め上方に向かって移動する。また、上下羽根１２は、その両端部に設けられた２本のアーム２２，２４を介して本体２下部に連結されているが、その駆動方法については後述する。
【００１８】
（人体検知装置の構成）
図１（ｂ）及び（ｃ）に示されるように、前面パネル４の上部には、複数（例えば、五つ）のセンサユニット２６，２８，３０，３２，３４が前面パネル４の主平面から突出した状態で人体検知装置として取り付けられており、これらのセンサユニット２６，２８，３０，３２，３４は、図４に示されるように、センサホルダ３６に保持されている。なお、人体検知装置は、図１（ａ）に示されるようにカバー５で覆われており、図１（ｂ）はカバー５を取り外した状態を示している。
【００１９】
各センサユニット２６，２８，３０，３２，３４を前面パネル４の上部に設けたのは、図５（ａ）に示されるように、各センサユニット２６，２８，３０，３２，３４の視野範囲（後述する人体位置判別領域）を拡大して遠方視野を最大限確保するためである。また、図５（ｂ）に示されるように、運転開始時に前面パネル４を停止位置より前方に移動させることでより遠くまで視野範囲を確保することができるとともに、図５（ｃ）に示されるように、前面パネル４を停止位置より斜め上方に移動させることで視野範囲をさらに拡大することができる。なお、各センサユニット２６，２８，３０，３２，３４の位置は前面パネル４の上部に限定されるわけではなく、また、前面パネルが可動でない場合でも、人体検知装置を前面パネルの上部あるいは本体上部に取り付けることにより下部に取り付けた場合に比べ視野範囲を拡大することができる。
【００２０】
また、図５（ｄ）に示されるように、各センサユニット２６，２８，３０，３２，３４を前面パネル４の主平面から突出させて設けることで、各センサユニット２６，２８，３０，３２，３４をより前方に配置することができ、図５（ｂ）〜（ｄ）に示されるように、室内機の構成部（例えば、上下羽根１２や、前面開口部２ａを開放状態の前面パネル４など）による死角発生を防止して視野範囲を拡大させることができる。
【００２１】
本実施の形態では、各センサユニット２６，２８，３０，３２，３４は前面パネル４に設けられているので、前面パネル４が前面開口部２ａを開放状態としたときには前面パネル４に付随して移動することとなり、更に前方に突出することとなる。
【００２２】
また、センサユニット２６は、回路基板２６ａと、回路基板２６ａに取り付けられたレンズ２６ｂと、レンズ２６ｂの内部に実装された人体検知センサ（図示せず）とで構成されており、この構成は、他のセンサユニット２８，３０，３２，３４についても同様である。さらに、人体検知センサは、例えば人体から放射される赤外線を検知することにより人の在否を検知する赤外線センサにより構成されており、赤外線センサが検知する赤外線量の変化に応じて出力されるパルス信号に基づいて回路基板２６ａにより人の在否が判定される。すなわち、回路基板２６ａは人の在否判定を行う在否判定手段として作用する。以下、互いに対をなすセンサとレンズをセンサ・レンズ対という。
【００２３】
ここで、前後左右方向の検知領域を得るために、図６の側面図に示されるように任意の球Ｚの表面上にセンサユニット２６，２８，３０，３２，３４を配置することが考えられる。この場合、各センサユニット２６，２８，３０，３２，３４のセンサ・レンズ対の光軸は球Ｚの中心Ｐで交差し、ねじれの位置にない。室内機から見れば、球Ｚの表面上にセンサユニット２６，２８，３０，３２，３４が前後方向に飛び出した配置となるため、人体検知装置の小型化は困難である。
【００２４】
また、上記のようなセンサユニットの飛び出しを抑制するため、図７のように任意の球Ｚを任意の平面Ｘで切り取り、平面Ｘと各センサユニット２６，２８，３０，３２，３４の光軸（ねじれの位置でない）との交点に各センサユニット２６，２８，３０，３２，３４を配置することも考えられる。この場合、センサユニット２６，２８，３０，３２，３４の配置は図８の正面視に示されるように前後方向への飛び出しは少なくなるが、センサユニット２６と３０のように検知領域と室内機との距離の異なるセンサユニットの配置が縦横方向に分散してしまい、人体検知装置の小型化に限界がある。
【００２５】
そこで、本実施の形態においては、センサユニット２６，２８のセンサ・レンズ対の光軸は同一平面上にあり、センサユニット３０，３２，３４のセンサ・レンズ対の光軸は別の同一平面上にあるものの、センサユニット２６，２８のセンサ・レンズ対の光軸と、センサユニット３０，３２，３４のセンサ・レンズ対の光軸とは同一平面上にはなく、ねじれの位置となるようにそれぞれの回路基板２６ａ，２８ａ，３０ａ，３２ａ，３４ａを所定の角度に傾斜させてセンサホルダ３６に取り付けている。
【００２６】
このように検知領域と室内機との距離の異なるセンサユニットのセンサ・レンズ対の光軸をねじれの位置とすることで、図１および図２に示されるようにセンサユニット２６，２８，３０，３２，３４は横方向に略直線状に配置でき、人体検知装置の小型化が可能となる。
【００２７】
なお、室内機からセンサユニットの検知領域までの距離の異なるセンサユニットを横方向に略直線状に配置した例について説明したが、左右方向の異なるセンサユニットを室内機の高さ方向に略直線状に配置する場合も同様のことが言える。
【００２８】
以上のように本実施の形態によれば、室内機に設けられた複数のセンサユニット２６，２８，３０，３２，３４のうち、該センサユニットの視野エリアと空気調和機との距離が異なるセンサユニットのセンサ・レンズ対の光軸が互いにねじれの位置となるようにしたので、センサユニット２６，２８，３０，３２，３４が室内機の前面パネル４から飛び出さないように設置できるようになり、人体検知装置の小型化が可能となる。
【００２９】
また、センサユニット２６，２８，３０，３２，３４を略直線状に配置することで、センサユニット２６，２８，３０，３２，３４が縦横方向に分散することがなく、センサユニット２６，２８，３０，３２，３４の小型化が可能となる。
【００３０】
また、このようにセンサ・レンズ対の光軸がねじれの位置にある複数のセンサユニット２６，２８，３０，３２，３４を人体検知装置に設け、各センサ・レンズ対の光軸が視野方向に向くように配設したので、人体検知装置から見て距離方向に複数の検知領域と、左右方向に複数の検知領域を形成することができるとともに、集光効率が向上することでレンズの小型化が可能になる。
【００３１】
（人体検知装置による人位置推定）
図９は、センサユニット２６，２８，３０，３２，３４で検知される人体位置判別領域を示しており、センサユニット２６，２８，３０，３２，３４は、それぞれ次の領域に人がいるかどうかを検知することができる。
センサユニット２６：領域Ａ＋Ｃ＋Ｄ
センサユニット２８：領域Ｂ＋Ｅ＋Ｆ
センサユニット３０：領域Ｃ＋Ｇ
センサユニット３２：領域Ｄ＋Ｅ＋Ｈ
センサユニット３４：領域Ｆ＋Ｉ
【００３２】
すなわち、本発明にかかる空気調和機の室内機においては、センサユニット２６，２８で検知できる領域と、センサユニット３０，３２，３４で検知できる領域が一部重なっており、領域Ａ〜Ｉの数よりも少ない数のセンサユニットを使用して各領域Ａ〜Ｉにおける人の在否を検知するようにしている。
【００３３】
また、少なくとも三つの人体検知センサを室内機の上部に取り付けることで、室内における人体の位置を室内機に対して遠近方向と左右方向、すなわち室内フロアのどこにいるのかを二次元的に把握することができる。図１０は三つの人体検知センサを設けた場合の検知される領域を示しており、図１０の例では、室内機の近傍の領域における人の在否が一つの人体検知センサで検知され、室内機から遠い領域における人の在否が二つの人体検知センサで検知される。
【００３４】
図９に戻って本実施の形態をさらに説明するが、以下の説明ではセンサユニット２６，２８，３０，３２，３４を第１のセンサ２６、第２のセンサ２８、第３のセンサ３０、第４のセンサ３２、第５のセンサ３４という。また、領域Ｃ，Ｄ，Ｅ，Ｆは二つのセンサで検知されるので、重なり領域というのに対し、重なり領域以外の領域（領域Ａ，Ｂ，Ｇ，Ｈ，Ｉ）は一つのセンサで検知されるので、通常領域という。また、重なり領域は、左の重なり領域Ｃ，Ｄと右の重なり領域Ｅ，Ｆに分けられる。
【００３５】
図１１は、第１乃至第５のセンサ２６，２８，３０，３２，３４を使用して、領域Ａ〜Ｉの各々に後述する領域特性を設定するためのフローチャートで、図１２は、第１乃至第５のセンサ２６，２８，３０，３２，３４を使用して、領域Ａ〜Ｉのどの領域に人がいるか否かを判定するフローチャートであり、これらのフローチャートを参照しながら人の位置判定方法について以下説明する。
【００３６】
ステップＳ１において、所定の周期Ｔ１（例えば、５秒）で左の重なり領域における人の在否がまず判定され、ステップＳ２において、所定の条件で所定のセンサ出力をクリアする。
【００３７】
表１は、左の重なり領域の判定方法を示しており、表１に示される三つの反応結果のいずれかに該当する場合は、第１のセンサ２６及び第３のセンサ３０の出力をクリアする。ここで、１は反応有り、０は反応無し、クリアは１→０にすることと定義する。
【００３８】
【表１】
2009002602.tif 000003
【００３９】
ステップＳ３では、上述した所定の周期Ｔ１で右の重なり領域における人の在否がさらに判定され、ステップＳ４において、所定の条件で所定のセンサ出力をクリアする。
【００４０】
表２は、右の重なり領域の判定方法を示しており、表２に示される三つの反応結果のいずれかに該当する場合は、第２のセンサ２８及び第５のセンサ３４の出力をクリアする。
【００４１】
【表２】
2009002602.tif 000004
【００４２】
また、表１及び表２に示される六つの反応結果のいずれかに該当する場合は、第４のセンサ３２の出力もクリアし、ステップＳ５に移行する。ステップＳ５においては、上述した所定の周期Ｔ１で通常領域における人の在否が表３に基づいて判定され、ステップＳ６において、全てのセンサ出力をクリアする。
【００４３】
【表３】
2009002602.tif 000005
【００４４】
さらに、図１３を参照して第１乃至第３のセンサ２６，２８，３０からの出力のみを使用して領域Ａ，Ｂ，Ｃにおける人の在否を判定する場合について説明する。
【００４５】
図１３に示されるように、時間ｔ１の直前の周期Ｔ１において第１乃至第３のセンサ２６，２８，３０がいずれもＯＦＦ（パルス無し）の場合、時間ｔ１において領域Ａ，Ｂ，Ｃに人はいないと判定する（Ａ＝０，Ｂ＝０，Ｃ＝０）。次に、時間ｔ１から周期Ｔ１後の時間ｔ２までの間に第１のセンサ２６のみＯＮ信号を出力し（パルス有り）、第２及び第３のセンサ２８，３０がＯＦＦの場合、時間ｔ２において領域Ａに人がいて、領域Ｂ，Ｃには人がいないと判定する（Ａ＝１，Ｂ＝０，Ｃ＝０）。さらに、時間ｔ２から周期Ｔ１後の時間ｔ３までの間に第１及び第３のセンサ２６，３０がＯＮ信号を出力し、第２のセンサ２８がＯＦＦの場合、時間ｔ３において領域Ｃに人がいて、領域Ａ、Ｂには人がいないと判定する（Ａ＝０，Ｂ＝０，Ｃ＝１）。以下、同様に周期Ｔ１毎に各領域Ａ，Ｂ，Ｃにおける人の在否が判定される。
【００４６】
実際には、第１乃至第５のセンサ２６，２８，３０，３２，３４を使用して、領域Ａ〜Ｉのどの領域に人が存在するかどうかの判定が行われ、表４は全てのセンサ２６，２８，３０，３２，３４からの出力を使用して各領域Ａ〜Ｉにおける人の在否判定結果を示している。
【００４７】
【表４】
2009002602.tif 000006
【００４８】
なお、表４において、表１乃至表３に示される位置判定以外の位置判定は、ステップＳ１，Ｓ３，Ｓ５におけるそれぞれの判定結果を組み合わせて行っている。
【００４９】
この判定結果に基づいて各領域Ａ〜Ｉを、人が良くいる第１の領域（良くいる場所）、人のいる時間が短い第２の領域（人が単に通過する領域、滞在時間の短い領域等の通過領域）、人のいる時間が非常に短い第３の領域（壁、窓等人が殆ど行かない非生活領域）とに判別する。以下、第１の領域、第２の領域、第３の領域をそれぞれ、生活区分Ｉ、生活区分II、生活区分IIIといい、生活区分Ｉ、生活区分II、生活区分IIIはそれぞれ、領域特性Ｉの領域、領域特性IIの領域、領域特性IIIの領域ということもできる。また、生活区分I（領域特性I）、生活区分II（領域特性II）を併せて生活領域（人が生活する領域）とし、これに対し、生活区分III（領域特性III）を非生活領域（人が生活しない領域）とし、人の在否の頻度により生活の領域を大きく分類してもよい。
【００５０】
この判別は、図１１のフローチャートにおけるステップＳ７以降で行われ、この判別方法について図１４及び図１５を参照しながら説明する。
【００５１】
図１４は、一つの和室とＬＤ（居間兼食事室）と台所とからなる１ＬＤＫのＬＤに本発明にかかる空気調和機の室内機を設置した場合を示しており、図１４における楕円で示される領域は被験者が申告した良くいる場所を示している。
【００５２】
上述したように、周期Ｔ１毎に各領域Ａ〜Ｉにおける人の在否が判定されるが、周期Ｔ１の反応結果（判定）として１（反応有り）あるいは０（反応無し）を出力し、これを複数回繰り返した後、ステップＳ７において、所定の空調機の累積運転時間が経過したかどうかを判定する。ステップＳ７において所定時間が経過していないと判定されると、ステップＳ１に戻る一方、所定時間が経過したと判定されると、各領域Ａ〜Ｉにおける当該所定時間に累積した反応結果を二つの閾値と比較することにより各領域Ａ〜Ｉをそれぞれ生活区分Ｉ〜IIIのいずれかに判別する。
【００５３】
長期累積結果を示す図１５を参照して、さらに詳述すると、第１の閾値及び第１の閾値より小さい第２の閾値を設定して、ステップＳ８において、各領域Ａ〜Ｉの長期累積結果が第１の閾値より多いかどうかを判定し、多いと判定された領域はステップＳ９において生活区分Ｉと判別する。また、ステップＳ８において、各領域Ａ〜Ｉの長期累積結果が第１の閾値より少ないと判定されると、ステップＳ１０において、各領域Ａ〜Ｉの長期累積結果が第２の閾値より多いかどうかを判定し、多いと判定された領域は、ステップＳ１１において生活区分IIと判別する一方、少ないと判定された領域は、ステップＳ１２において生活区分IIIと判別する。
【００５４】
図１５の例では、領域Ｅ，Ｆ，Ｉが生活区分Ｉとして判別され、領域Ｂ，Ｈが生活区分IIとして判別され、領域Ａ，Ｃ，Ｄ，Ｇが生活区分IIIとして判別される。
【００５５】
また、図１６は別の１ＬＤＫのＬＤに本発明にかかる空気調和機の室内機を設置した場合を示しており、図１７はこの場合の長期累積結果を元に各領域Ａ〜Ｉを判別した結果を示している。図１６の例では、領域Ｃ，Ｅ，Ｇが生活区分Ｉとして判別され、領域Ａ，Ｂ，Ｄ，Ｈが生活区分IIとして判別され、領域Ｆ，Ｉが生活区分IIIとして判別される。
【００５６】
なお、上述した領域特性（生活区分）の判別は所定時間毎に繰り返されるが、判別すべき室内に配置されたソファー、食卓等を移動することがない限り、判別結果が変わることは殆どない。
【００５７】
次に、図１２のフローチャートを参照しながら、各領域Ａ〜Ｉにおける人の在否の最終判定について説明する。
【００５８】
ステップＳ２１〜Ｓ２６は、上述した図１１のフローチャートにおけるステップＳ１〜Ｓ６と同じなので、その説明は省略する。ステップＳ２７において、所定数Ｍ（例えば、１５回）の周期Ｔ１の反応結果が得られたかどうかが判定され、周期Ｔ１は所定数Ｍに達していないと判定されると、ステップＳ２１に戻る一方、周期Ｔ１が所定数Ｍに達したと判定されると、ステップＳ２８において、周期Ｔ１×Ｍにおける反応結果の合計を累積反応期間回数として、１回分の累積反応期間回数を算出する。この累積反応期間回数の算出を複数回繰り返し、ステップＳ２９において、所定回数分（例えば、Ｎ＝４）の累積反応期間回数の算出結果が得られたかどうかが判定され、所定回数に達していないと判定されると、ステップＳ２１に戻る一方、所定回数に達したと判定されると、ステップＳ３０において、既に判別した領域特性と所定回数分の累積反応期間回数を元に各領域Ａ〜Ｉにおける人の在否を推定する。
【００５９】
なお、ステップＳ３１において累積反応期間回数の算出回数（Ｎ）から１を減算してステップＳ２１に戻ることで、所定回数分の累積反応期間回数の算出が繰り返し行われることになる。
【００６０】
表５は最新の１回分（時間Ｔ１×Ｍ）の反応結果の履歴を示しており、表５中、例えばΣＡ０は領域Ａにおける１回分の累積反応期間回数を意味している。
【００６１】
【表５】
2009002602.tif 000007
【００６２】
ここで、ΣＡ０の直前の１回分の累積反応期間回数をΣＡ１、さらにその前の１回分の累積反応期間回数をΣＡ２・・・とし、領域における過去の数回分の履歴（例えば、ΣＡ３、ΣＡ２、ΣＡ１、ΣＡ０の４回分）と生活区分と累積反応期間回数から人の在否を推定する。
【００６３】
次に、上述した人の在否判定から時間Ｔ１×Ｍ後には、同様に過去の４回分の履歴と生活区分と累積反応期間回数から人の在否の推定が行われる。
【００６４】
すなわち、本発明にかかる空気調和機の室内機においては、判別領域Ａ〜Ｉの数よりも少ない数のセンサを使用して人の在否を推定することから、所定周期毎の推定では人の位置を誤る可能性があるので、重なり領域かどうかに関わらず単独の所定周期では人の位置推定を行うことを避け、所定周期毎の領域判定結果を長期累積した領域特性と、所定周期毎の領域判定結果をＮ回分累積し、求めた各領域の累積反応期間回数の過去の履歴から人の所在地を推定することで、確率の高い人の位置推定結果を得るようにしている。
【００６５】
表６は、このようにして人の在否を判定し、Ｔ１＝５秒、Ｍ＝１２回に設定した場合の在推定に要する時間、不在推定に要する時間を示している。
【００６６】
【表６】
2009002602.tif 000008
【００６７】
このようにして、本発明にかかる空気調和機の室内機により空調すべき領域を第１乃至第５のセンサ２６，２８，３０，３２，３４により複数の領域Ａ〜Ｉに区分した後、各領域Ａ〜Ｉの領域特性（生活区分Ｉ〜III）を決定し、さらに各領域Ａ〜Ｉの領域特性に応じて在推定に要する時間、不在推定に要する時間を変更するようにしている。
【００６８】
すなわち、空調設定を変更した後、風が届くまでには１分程度要することから、短時間（例えば、数秒）で空調設定を変更しても快適性を損なうのみならず、人がすぐいなくなるような場所に対しては、省エネの観点からあまり空調を行わないほうが好ましい。そこで、各領域Ａ〜Ｉにおける人の在否をまず検知し、特に人がいる領域の空調設定を最適化している。
【００６９】
詳述すると、生活区分IIと判別された領域の在否推定に要する時間を標準として、生活区分Ｉと判別された領域では、生活区分IIと判別された領域より短い時間間隔で人の存在が推定されるのに対し、その領域から人がいなくなった場合には、生活区分IIと判別された領域より長い時間間隔で人の不存在を推定することにより、在推定に要する時間を短く、不在推定に要する時間は長く設定されることになる。逆に、生活区分IIIと判別された領域では、生活区分IIと判別された領域より長い時間間隔で人の存在が推定されるのに対し、その領域から人がいなくなった場合には、生活区分IIと判別された領域より短い時間間隔で人の不存在を推定することにより、在推定に要する時間を長く、不在推定に要する時間は短く設定されることになる。さらに、前述のように長期累積結果によりそれぞれの領域の生活区分は変わり、それに応じて、在推定に要する時間や不在推定に要する時間も可変設定されることになる。
【００７０】
（風向制御）
また、各領域Ａ〜Ｉにおける空調設定に応じて、ファン８の回転数制御及び上下羽根１２と左右羽根の風向制御が行われるが、これらの制御について以下説明する。
【００７１】
暖房時の風向制御は、人がいると判定された領域における人の足元手前に風向きを制御することで足元近傍に温風を到達させ、冷房時の風向制御は、人の頭上上方に風向きを制御することで頭上上方に冷風を到達させる。風向きはファン８の回転数と、上下羽根１２あるいは左右羽根の角度により調節する。
【００７２】
図１８は、上下羽根１２の回転制御を示しており、空気調和機停止時には、図１８（ａ）に示されるように、前面パネル４と上下羽根１２と中羽根１４は全て閉塞した状態にある。
【００７３】
冷房時は、吹き出し空気（冷風）を人の頭上上方に到達させるため（冷房天井気流）、図１８（ａ）に示される状態から図１８（ｂ）に示される状態を経て図１８（ｃ）に示される状態に至る。まず、アーム１８，２０が駆動制御されて前面パネル４が前面開口部２ａから離反するとともに、アーム２２，２４が駆動制御されて上下羽根１２が吹出口１０から離反する。
【００７４】
図１８（ｃ）の状態では、吹出口１０から吹き出される空気は、上下羽根１２により水平方向に導かれるが、上下羽根１２の下流側端部が上方へ湾曲しているため、部屋の遠方まで空気を送ることができる。この時、吹出口１０の上方、すなわち前面パネル４の下方は中羽根１４により閉塞されており、吹出口１０から吹き出した空気の一部が前面開口部２ａに導かれることはない。
【００７５】
一方、暖房時は、吹き出し空気（温風）を人の足元近傍に到達させるため（暖房足元気流）、図１８（ａ）に示される状態から図１８（ｂ）に示される状態を経て図１８（ｄ）に示される状態に至る。図１８（ｄ）の状態では、吹出口１０から吹き出される空気は、上下羽根１２により斜め下方に導かれるが、上下羽根１２の下流側端部が本体側へ湾曲しているため、部屋の上方に溜まりやすい暖かい空気を部屋の下方に送ることができる。
【００７６】
なお、図１８（ｅ）は、安定前の冷房時に利用され、吹き出し空気は人体に向けられる（人体向け気流）。
【００７７】
図１９は、各領域Ａ〜Ｉの空調を行う場合のファン８の設定回転数を示しており、Ａ１，Ａ２，Ａ３は室内機からそれぞれ近距離、中距離、遠距離にある領域の基準回転数で、Ａ４は距離が同じ場合の領域の違いによる回転数差分であり、例えばそれぞれ次のように設定される。
Ａ１：８００ｒｐｍ（暖房時）、７００ｒｐｍ（冷房時）
Ａ２：１０００ｒｐｍ（暖房時）、９００ｒｐｍ（冷房時）
Ａ３：１２００ｒｐｍ（暖房時）、１１００ｒｐｍ（冷房時）
Ａ４：１００ｒｐｍ（冷暖共通）
【００７８】
ここで、各領域における室内機からの距離、室内機正面からの角度、高低差等、室内機との位置関係を表す表現として、相対位置という表現を導入する。
【００７９】
また、各領域において空調がし易い、空調がし難い度合いを空調要求度という表現により表し、空調要求度が高いほど空調がよりし難い、空調要求度が低いほど空調がよりし易いとする。例えば、室内機からの距離が遠いほど吹き出し空気が届き難く空調がし難いので空調要求度が高くなる。即ち、空調要求度と室内機からの相対位置には密接な関連性があり、本実施の形態では、室内機からの相対位置に応じて空調要求度を定める。
【００８０】
したがって、各領域Ａ〜Ｉの空調を行う場合のファン８の設定回転数は、空調要求度が高いほど高く設定されることを意味している。すなわち、空調すべき領域の位置が室内機より遠いほどファン８の設定回転数は高く設定されるとともに、室内機からの距離が同じ場合には室内機の正面より左右にずれた領域ほどファン８の設定回転数は高く設定される。また、空調すべき領域が一つの場合、その領域の設定回転数（風量）に設定され、空調すべき領域が複数の場合、空調要求度が高い領域の設定回転数に設定される。
【００８１】
また、図２０は、暖房時の上下羽根１２と左右羽根の設定角度を示しており、Ｂ１，Ｂ２，Ｂ３は室内機からそれぞれ近距離、中距離、遠距離にある領域の基準上下羽根角度で、Ｂ４は距離が同じ場合の領域の違いによる上下羽根の角度差分であるのに対し、Ｃ１及びＣ２は左右領域の基準左右羽根角度（左回りが正方向）で、Ｃ３及びＣ４は領域の違いによる左右羽根の角度差分であり、例えばそれぞれ次のように設定される。なお、上下羽根１２の角度とは、羽根が上に凸の状態で羽根の前後端を結んだ線が水平の場合を０°とし、この位置を基準にして反時計方向に計測した場合の角度のことである。
Ｂ１：７０°
Ｂ２：５５°
Ｂ３：４５°
Ｂ４：１０°
Ｃ１：０°
Ｃ２：１５°
Ｃ３：３０°
Ｃ４：４５°
【００８２】
すなわち、室内機に近い領域ＡあるいはＢの暖房を行う場合、上下羽根１２は、第１の角度（例えば、７０°）に設定されるとともに、ファン８の回転数は第１の回転数（例えば、８００ｒｐｍ）に設定され、領域ＡあるいはＢにおける室内機側の縁部（人の足元手前）に風向を制御し、足元近傍に温風を到達させるようにしている。また、室内機から中距離にある領域Ｃ，Ｄ，ＥあるいはＦの暖房を行う場合、上下羽根１２は、第１の角度より小さい第２の角度（例えば、５５°）に設定されるとともに、ファン８の回転数は第１の回転数より高い第２の回転数（例えば、１０００ｒｐｍ）に設定され、領域Ｃ，Ｄ，ＥあるいはＦにおける室内機側の縁部（人の足元手前）に風向を制御し、足元近傍に温風を到達させるようにしている。さらに、室内機から最も遠い領域Ｇ，ＨあるいはＩの暖房を行う場合、上下羽根１２は、第２の角度より小さい第３の角度（例えば、４５°）に設定されるとともに、ファン８の回転数は第２の回転数より高い第３の回転数（例えば、１２００ｒｐｍ）に設定され、領域Ｇ，ＨあるいはＩにおける室内機側の縁部（人の足元手前）に風向を制御し、足元近傍に温風を到達させるようにしている。
【００８３】
図２１は、立ち上がりあるいは不安定領域の冷房時の上下羽根１２と左右羽根の設定角度を示しており、Ｅ１，Ｅ２，Ｅ３は室内機からそれぞれ近距離、中距離、遠距離にある領域の基準上下羽根角度で、Ｅ４は距離が同じ場合の領域の違いによる上下羽根の角度差分であるのに対し、Ｆ１及びＦ２は左右領域の基準左右羽根角度（左回りが正方向）で、Ｆ３及びＦ４は領域の違いによる左右羽根の角度差分であり、例えばそれぞれ次のように設定される。なお、立ち上がりとは、空気調和機の運転開始時のことで、不安定領域とは、現在の室内の空調状態が、設定した条件（例えば設定温度）になっていない状態のことである。
Ｅ１：５０°
Ｅ２：３５°
Ｅ３：２５°
Ｅ４：１０°
Ｆ１：０°
Ｆ２：１５°
Ｆ３：２５°
Ｆ４：３５°
【００８４】
また、図２２は、安定領域の冷房時の上下羽根１２と左右羽根の設定角度を示しており、Ｈ１は天井気流の場合の基準上下羽根角度で、Ｈ２はにがし気流の場合の基準上下羽根角度で、Ｈ３は距離の違いによる上限羽根角度差分であるのに対し、Ｉ１及びＩ２は左右領域の基準左右羽根角度（左回りが正方向）で、Ｉ３及びＩ４は領域の違いによる左右羽根の角度差分であり、例えばそれぞれ次のように設定される。なお、安定領域とは、現在の室内の空調状態が、設定した条件（例えば設定温度）になっている状態のことである。
Ｈ１：１８０°
Ｈ２：１９０°
Ｈ３：５°
Ｉ１：０°
Ｉ２：１５°
Ｉ３：２５°
Ｉ４：３５°
【００８５】
ここで、天井気流とは、図１８（ｃ）に示されるように、上下羽根１２を吹出口１０の下部に位置させて吹き出し風を全て羽根の凹面で受けて風を送り出した場合の気流のことであり、にがし気流とは、上下羽根１２を天井気流時より多少上部に位置させて、吹き出し風の一部（微量）を羽根の凸面側（羽根の下方）にも流し羽根凸面に結露が発生しにくい状態にして風を送り出した場合の気流のことである。
【００８６】
室内機に近い領域ＡあるいはＢの冷房を行う場合、上下羽根１２は、水平より所定角度（例えば、５°）だけ下方に設定され、ファン８の回転数は第１の回転数（暖房時の第１の回転数より少ない回転数で、例えば、７００ｒｐｍ）に設定され、領域ＡあるいはＢの頭上上方に冷風を到達させ、冷気がシャワー状に落ちてくるように設定されている。また、室内機から中距離にある領域Ｃ，Ｄ，ＥあるいはＦの冷房を行う場合、上下羽根１２は、略水平に設定され、ファン８の回転数は第１の回転数より高い第２の回転数（暖房時の第２の回転数より少ない回転数で、例えば、９００ｒｐｍ）に設定され、領域Ｃ，Ｄ，ＥあるいはＦの頭上上方に冷風を到達させるように設定されている。さらに、室内機から最も遠い領域Ｇ，ＨあるいはＩの冷房を行う場合、上下羽根１２は、水平より所定角度（例えば、５°）だけ上方に設定され、ファン８の回転数は第２の回転数より高い第３の回転数（暖房時の第３の回転数より少ない回転数で、例えば、１１００ｒｐｍ）に設定され、領域Ｇ，ＨあるいはＩの頭上上方に冷風を到達させるように設定されている。
【００８７】
次に、空調すべき領域の数に応じて行われる風向制御について図２３のフローチャートを参照しながら説明する。
【００８８】
空気調和機の運転開始後、ステップＳ４１において、領域Ａ〜Ｉにおける人の在否判定がまず行われ、ステップＳ４２において、人がいると判定された領域が一つ、すなわち空調すべき領域が一つの場合、ステップＳ４３において、その領域に応じて設定された風量、風向に基づいて空調が行われる。ステップＳ４２において、空調すべき領域が一つではないと判定されると、ステップＳ４４において、空調すべき領域が二つかどうかを判定し、空調すべき領域が二つの場合、ステップＳ４５に移行する。
【００８９】
ステップＳ４５においては、風量は空調要求度の高い領域の設定風量に設定され、二つの領域の配置モードを図２４に示されるように五つのモードのいずれかに識別し、次のステップＳ４６において、識別されたモードに応じて表７のように制御する。
【表７】
2009002602.tif 000009
【００９０】
ここで、モード１は中距離であり、かつ室内機正面をはさんで隣接する２領域の場合を表し、モード２は室内機との角度が略一致し、前後関係に隣接する２領域の場合を表している。また、モード３は室内機との角度が略一致し、前後関係に離間する２領域の場合を表し、モード４は室内機との距離が略一致し、角度が異なる２領域の場合を表し、モード５は離間する２領域、換言すれば室内機との距離も角度も異なる２領域の場合を表している。
【００９１】
モード１〜４の上下風向は、暖房時は要求度の低い領域に固定される一方、冷房時は要求度の高い領域に固定される。また、モード５の上下風向は、上下羽根１２の動作を制御して、二つの領域（第１及び第２の領域）のうち、第１の領域に所定時間停留（角度固定）した後、第２の領域に向かって風向を変え、第２の領域に所定時間停留した後、第１の領域向かって風向を変える動作を繰り返す。なお、各領域の停留時間は、例えば室内機からの距離に応じてそれぞれ設定され、室内機からの距離が遠いほど停留時間を長くするのが好ましい。
【００９２】
また、モード１の左右風向は、隣接した二つの領域の中央に固定され、モード２及び３の場合、二つの領域が室内機から見て距離の異なる略同一方向にあると見なして、その左右風向は、要求度の高い領域に固定される。さらに、モード４及び離間する二つの領域の配置からなるモード５の左右風向は、上下羽根１２の制御と同様に左右羽根の動作を制御して、第１の領域に所定時間停留した後、第２の領域に向かって風向を変え、第２の領域に所定時間停留した後、第１の領域に向かって風向を変える動作を繰り返す。なお、各領域の停留時間は、各領域に対する室内機からの相対位置、例えば室内機正面からの角度に応じてそれぞれ設定され、室内機正面からの角度が大きいほど停留時間を長くするのが好ましい。
【００９３】
また、ステップＳ４４において空調すべき領域が二つではないと判定されると、ステップＳ４７において、空調すべき三つ以上の領域をその配置に応じて通常モードと特殊モードの二つのモードのいずれかに判定する。ここで、特殊モードは、中距離であり、かつ室内機正面をはさんで隣接する２領域と、遠距離であり、かつ室内機正面に位置する１領域、計３領域の場合を表し、それを除く三つ以上の領域の場合を通常モードと表す。空調すべき領域が三つ以上の場合、風量は空調要求度の最も高い領域の設定風量に設定され、ステップＳ４７において、図２５（ａ）に示される特殊モード（中央隣接）と判定されると、ステップＳ４８において、風向は図２４のモード１と同様に設定される。
【００９４】
一方、ステップＳ４７において、特殊モードではないと判定されると、ステップＳ４９において、図２５（ｂ）あるいは（ｃ）に示される通常モードの制御が行われ、上下風向は、室内機に最も近い領域の上下羽根１２の設定角度と、室内機に最も遠い領域の上下羽根１２の設定角度との間で上下羽根１２の角度を変更する。
【００９５】
また、通常モードの場合の左右風向は、両端の領域（図２５（ｂ）では領域ＣとＩ、図２５（ｃ）では領域ＣとＨ）における左右羽根の設定角度を左端角度及び右端角度に設定して、左端角度に所定時間停留した後、右端側の領域に向かって風向を変え（スイング）、右端角度に所定時間停留した後、左端側の領域に向かって風向を変える動作（スイング）を繰り返す。なお、スイング時の左右羽根の作動速度は、上述したモード４及び５における左右羽根の作動速度より遅く設定される。また、左端角度あるいは右端角度における停留時間は、例えば室内機正面からの角度に応じてそれぞれ設定され、室内機正面からの角度が大きいほど停留時間を長くするのが好ましい。
【００９６】
なお、ステップＳ４３，Ｓ４６，Ｓ４８あるいはＳ４９においてそれぞれの空調制御が行われた後、ステップＳ４１に戻る。
【００９７】
また、空調すべき領域が二つの場合で上述したモード４あるいはモード５の左右風向制御、あるいは空調すべき領域が三つ以上の場合で通常モードの左右風向制御、すなわち空調すべき領域が二つ以上の方向に分散している場合の左右風向制御は、左右羽根の設定角度を左右両端の領域で固定するが、その時の停留時間を、室内機と空調すべき領域との相対位置と、空調すべき領域における人の活動量（活動状態）に応じて時間配分することもできる。
【００９８】
さらに、モード４あるいはモード５の左右風向制御について詳述すると、空調要求度（室内機からの距離）に応じて、第１の基本停留合計時間、第１の基本停留合計時間より長い第２の基本停留合計時間、第２の基本停留合計時間より長い第３の基本停留合計時間のいずれかを、領域Ａ〜Ｉに設定する。第１〜第３の基本停留合計時間は、例えば次のように設定される。
領域Ａ，Ｂ：          ６０秒（第１の基本停留合計時間）
領域Ｃ，Ｄ，Ｅ，Ｆ：  ９０秒（第２の基本停留合計時間）
領域Ｇ，Ｈ，Ｉ：    １２０秒（第３の基本停留合計時間）
【００９９】
次に、各領域を図２６に示されるように重み付けし、空調すべき二つの領域のうち空調要求度の高い領域の基本停留合計時間をそれぞれの領域の重みに応じて分割して各領域の基本停留時間を決定する。さらに、それぞれの設定停留時間に人の「活動量」の概念を導入し、人の活動量に応じて設定時間を増減する。すなわち、暖房時、活動量が小さい人は活動量が大きい人よりも「寒く」感じるのに対し、冷房時は、活動量が大きい人は活動量が小さい人よりも「暑く」感じることから、空調すべき領域における人の活動量を決定し、決定された活動量に応じて各領域の停留時間を増減するのである。
【０１００】
ここで、上述した「活動量」について説明する。
人の活動量とは人の動きの大きさの度合いを示す概念で、複数の活動量に分類され、例えば「安静」、「活動量大」、「活動量中」、「活動量小」に分類される。
【０１０１】
「安静」とは、ソファで寛いでいる、テレビを視聴している、パソコンを操作している等、同じ場所に人が継続している状態が持続している場合のことで、安静状態が持続した場合、代謝量が低下して寒く感じる。活動量「大」とは、室内の清掃等広域で活動している場合のことで、代謝量増加により暑く感じる。活動量「中」とは、炊事等狭域で活動している場合のことで、代謝量増加によりやや暑く感じる。活動量「小」とは、食事等同じ場所で多少活動している場合のことで、代謝量に大きな変化は見られない。
【０１０２】
本実施の形態では、人の活動量レベルを複数の領域を含むブロック毎に判定しているので、このブロックについてまず説明する。
【０１０３】
各領域Ａ〜Ｉは次のように三つのブロックに区分され、これら三つのブロックの少なくとも二つのブロックに人がいる場合に左右風向制御が行われる。
第１ブロック：領域Ａ，Ｃ，Ｇ
第２ブロック：領域Ｄ，Ｅ，Ｈ
第３ブロック：領域Ｂ，Ｆ，Ｉ
【０１０４】
これら三つのブロックは、室内機から見て左側、中央、右側にそれぞれ位置しており、六つ以上のセンサを使用して空調すべき領域をさらに多くの領域に区分し、これらの領域を三つ以上のブロックに分割する場合についても、室内機から見て略同一方向に位置する複数の領域を同一のブロックに割り当てる。
【０１０５】
次に、人の活動量の分類方法について図２７のフローチャートを参照しながら詳述する。
まずステップＳ５１において、所定時間Ｔ１毎に各センサ２６，２８，３０，３２，３４の反応頻度（出力パルス有り）を計測し、ステップＳ５２において、計測回数が所定回数に達したかどうかを判定する。なお、所定時間Ｔ１は、上述した人の在否判定における所定の周期Ｔ１と同じであるが、ここでは、例えば２秒に設定され、計測回数の所定回数は、例えば１５回に設定されるものと仮定し、１５回の計測を総称して１ユニット計測（３０秒間の計測）という。また、ここでいう「計測回数」とは、領域Ａ〜Ｉのいずれかの領域における計測回数のことで、全ての領域Ａ〜Ｉに対し同様の計測が行われる。
【０１０６】
ステップＳ５２において、計測回数が所定回数に達していないと判定されるとステップＳ５１に戻り、計測回数が所定回数に達し１ユニット計測が終了したと判定されると、ステップＳ５３において、４ユニット計測（２分間の計測）が終了したかどうかを判定する。ステップＳ５３において、４ユニット計測が終了していない場合にはステップＳ５１に戻り、４ユニット計測が終了している場合にはステップＳ５４に移行する。
【０１０７】
ステップＳ５４においては、４ユニット計測（現在の１ユニット計測を含め過去４回のユニット計測）のセンサの合計反応頻度が所定数（例えば、５回）に達したかどうかを判定し、所定数に達していれば、ステップＳ５５において、「活動量小」と判定された後の合計ユニット計測数（ｐ、詳しくは後述）がクリアされた後、ステップＳ５６に移行する。
【０１０８】
ステップＳ５６においては、全領域Ａ〜Ｉにおけるセンサの合計反応頻度が所定数（例えば、４０回）に達したかどうかを判定し、所定数に達している場合には、ステップＳ５７において、「安静」と判定されたブロック（後述）を除き在判定された全てのブロック
が「活動量大」と判定される一方、所定数に達していない場合には、ステップＳ５８において、４ユニット計測のセンサの合計反応頻度が所定数に達した領域の属するブロックが「活動量中」と判定される。ステップＳ５７あるいはステップＳ５８における活動量判定後、ステップＳ５９において、ユニット計測数（ｑ）から１を減算してステップＳ５１に戻る。すなわち、連続する４ユニット計測で各センサの合計反応頻度が所定数を超え「活動量大」あるいは「活動量中」と判定された領域の属するブロックは、さらに次回の１ユニット計測後、その時点における４ユニット計測の合計反応頻度が所定数を超えた場合には、引き続き「活動量大」あるいは「活動量中」と判定される。
【０１０９】
また、ステップＳ５４において、４ユニット計測でセンサの合計反応頻度が所定数未満と判定されると、ステップＳ６０において、その領域の属するブロックが「安静」かどうかが判定され、「安静」でなければ、ステップ６１において「活動量小」と判定される。次のステップＳ６２において、「活動量小」と判定された後の合計ユニット計測数（ｐ）がカウントされ、ステップＳ６３において、「活動量小」と判定された後６０ユニット計測（３０分間の計測）が終了したかどうかを判定する。
【０１１０】
ステップＳ６３において、６０ユニット計測が終了していないと判定されると、ステップＳ５９に移行する一方、６０ユニット計測が終了したと判定されると、その領域だけが当該領域の属するブロックにある場合に限り、ステップＳ６４において「安静」と判定された後、ステップＳ５９に移行する。すなわち、ステップＳ５９に移行することで、次の１ユニット計測を含む過去４回のユニット計測で各センサの合計反応頻度に応じて、各ブロックは「活動量大」、「活動量中」、「活動量小」あるいは「安静」と新たに判定されることになる。
【０１１１】
空気調和機の電源をＯＮした後の活動量計測当初は、どの領域の活動量も不明であるが、このフローチャートによれば、計測開始から４ユニット計測が終了して初めて、各領域Ａ〜Ｉの属するブロックにおいて「活動量大」、「活動量中」あるいは「活動量小」の判定が行われ、６０ユニット計測が終了して初めて、「安静」の判定が行われることになる。したがって、計測開始後しばらくは「安静」のブロックは存在しないので、ステップＳ６０においてＮＯと判定され、ステップＳ６１において「活動量小」と判定される。その後、「活動量小」と継続して判定されたブロックは、６０ユニット計測終了後、ステップＳ６４において「安静」と判定され、その後４ユニット計測のセンサの合計反応頻度が所定数未満であれば、引き続き「安静」と判定される。
【０１１２】
なお、ステップＳ５５において、「活動量小」と判定された後の合計ユニット計測数（ｐ）をクリアするのは、「安静」との判定は、「活動量小」の判定が起点となるからである。
【０１１３】
要約すると、各センサ２６，２８，３０，３２，３４は、人体検知手段としての機能に加え、活動量検知手段としても機能し、図２７のフローチャートにより、各領域Ａ〜Ｉの属するブロックは、例えば次のように判定される。
（１）安静
センサ反応頻度が５回未満／２分が３０分以上継続した領域のみあるブロック
（２）活動量大
全領域Ａ〜Ｉのセンサ反応頻度の総和が４０回以上／２分で、少なくとも一つの領域でセンサ反応頻度が２分間で５回以上継続した場合において、「安静」と判定されたブロックを除く全てのブロック
（３）活動量中
全領域Ａ〜Ｉのセンサ反応頻度の総和が４０回未満／２分の場合に、センサ反応頻度が２分間で５回以上継続した領域の属するブロック
（４）活動量小
安静、活動量大、活動量中と判定されなかった領域の属するブロック
【０１１４】
図２８は、空調すべき領域の停留時間を決定するパラメータとして人の活動量を採用した場合のフローチャートを示している。
【０１１５】
このフローチャートに示されるように、まずステップＳ７１において、空調すべき二つの領域が決定され、ステップＳ７２において、二つの領域の基本停留合計時間が第１乃至第３の基本停留合計時間のいずれかに設定される。次のステップＳ７３において、設定された基本停留合計時間が二つの領域の重みに応じて分割され、さらにステップＳ７４において、二つの領域の属するブロックにおける人の活動量が大＝３、中＝２、小＝１のいずれかに決定される。なお、このフローチャートでは、「安静」と「活動量小」の領域をともに小＝１のグループにまとめている。
【０１１６】
次に、ステップＳ７５において、二つの領域における人の活動量の差が０かどうかを判定し、活動量の差が０と判定されると、ステップＳ７６において、ステップＳ７３で分割された基本停留合計時間が各領域における停留時間と決定される一方、活動量の差が０ではないと判定されると、ステップＳ７７に移行する。
【０１１７】
ステップＳ７７においては、二つの領域における人の活動量の差が１かどうかを判定し、活動量の差が１と判定されると、ステップＳ７８において、ステップＳ７３で分割されて設定された各領域における停留時間の一方を所定の倍率で増加する。例えば、暖房時、活動量が小さい領域の停留時間を４／３倍してその領域の停留時間を決定し、冷房時は、活動量が大きい領域の停留時間を４／３倍してその領域の停留時間を決定する。
【０１１８】
一方、ステップＳ７７において、二つの領域における人の活動量の差が１ではないと判定されると、ステップＳ７９において、ステップＳ７３で分割されて設定された各領域における停留時間の一方を所定の倍率で増加し、他方を所定の倍率で減少する。例えば、暖房時、活動量が小さい領域の停留時間を４／３倍してその領域の停留時間を決定するとともに、活動量が大きい領域の停留時間を２／３倍してその領域の停留時間を決定する。また、冷房時は、活動量が大きい領域の停留時間を４／３倍してその領域の停留時間を決定するとともに、活動量が小さい領域の停留時間を２／３倍してその領域の停留時間を決定する。つまり、空調すべき二つの領域における人の活動量の差が大きい場合は、二つの領域における空調度（空調風量）の差を大きくすることで、いずれの領域でも快適な空調空間を実現している。
【０１１９】
一例として、空調すべき領域が領域Ａと領域Ｉの場合、基本停留合計時間は領域Ｉの方が領域Ａより大きいので、基本停留合計時間は１２０秒となる。また、領域Ａと領域Ｉの重みの比はＡ：Ｉ＝１：３となっているので、１２０秒をこの比で分割して、領域Ａの停留時間は３０秒に、領域Ｉの停留時間は９０秒に設定される。この時、領域Ａの属する第１ブロックにおける人の活動量が大＝３で、領域Ｉの属する第３ブロックにおける人の活動量が小＝１であったとすると、暖房時あるいは冷房時の領域Ａ及び領域Ｉの停留時間は最終的に次のように決定される。
領域Ａ：１２０秒（暖房時）、６０秒（冷房時）
領域Ｉ：２０秒（暖房時）、４０秒（冷房時）
【０１２０】
なお、ステップＳ７１からステップＳ７９までの処理は所定時間毎に行われる。
【０１２１】
空調すべき領域が三つ以上の場合で通常モードの左右風向制御は、上述したモード４あるいはモード５の左右風向制御と略同じであるが、両端に位置する二つの領域における左右羽根の設定角度を左端角度及び右端角度に設定して、この位置で左右羽根の角度を所定時間固定し、中間（第２）ブロックでは左右羽根をスイングさせるとともに、左端角度及び右端角度における左右羽根の停留時間の配分において、モード４あるいはモード５の左右風向制御とは異なる。
【０１２２】
さらに詳述すると、空調要求度（室内機からの距離）に応じて、第１の基本停留時間、第１の基本停留時間より長い第２の基本停留時間、第２の基本停留時間より長い第３の基本停留時間のいずれかを、領域Ａ〜Ｉに設定する。第１〜第３の基本停留時間は、例えば次のように設定される。
領域Ａ，Ｂ：        ２４秒（第１の基本停留時間）
領域Ｃ，Ｄ，Ｅ，Ｆ：４８秒（第２の基本停留時間）
領域Ｇ，Ｈ，Ｉ：    ７２秒（第３の基本停留時間）
【０１２３】
すなわち、モード４あるいはモード５の場合の左右羽根制御では、基本停留合計時間を設定して、それぞれの領域の重みに応じて基本停留合計時間を分割しているのに対し、三つ以上の領域の通常モードの左右羽根制御では、空調すべき領域の基本停留時間を空調要求度に応じて設定している。また、三つ以上の領域の通常モードの左右羽根制御においても、それぞれの設定停留時間に人の「活動量」の概念を導入しているので、図２９のフローチャートを参照して、空調すべき複数の領域を三つのブロックに割り当てた場合を例にとり説明する。
【０１２４】
図２９のフローチャートに示されるように、まずステップＳ８１において、三つのブロックにそれぞれ割り当てられた空調すべき三つの領域が決定され、ステップＳ８２において、三つの領域における人の活動量が大＝３、中＝２、小＝１のいずれかに決定される。
【０１２５】
次に、ステップＳ８３において、室内機から見て左右方向の空調要求度に応じて要求度の最も高い領域と最も低い領域における人の活動量を比較し、これら二つの領域における人の活動量の差が０かどうかを判定する。ここで、「左右方向の空調要求度」とは、室内機正面からの各領域の角度に対応しており、室内機正面から離れる領域ほど左右方向の空調要求度は高い（例えば、図２０参照）。ここでは、各領域の左右方向の空調要求度を次のように設定し、二つのブロック間の人の活動量の比較に際し、これらの値を使用している。
左右方向の空調要求度＝０：領域Ｈ
左右方向の空調要求度＝１：領域Ｄ，Ｅ
左右方向の空調要求度＝２：領域Ａ，Ｂ
左右方向の空調要求度＝３：領域Ｃ，Ｆ，Ｇ，Ｉ
【０１２６】
ステップＳ８３において、活動量の差が０と判定されると、ステップＳ８４において、空調要求度の高い領域の基本停留時間をそのまま維持する一方、活動量の差が０ではないと判定されると、ステップＳ８５に移行する。
【０１２７】
ステップＳ８５においては、二つの領域における人の活動量の差が１かどうかを判定し、活動量の差が１と判定されると、ステップＳ８６において、空調要求度の高い領域の基本停留時間を所定の倍率で増減する。例えば、空調要求度の高い領域の活動量が空調要求度の低い領域の活動量より小さい場合（例えば、前者が１で後者が２）、暖房時は、空調要求度の高い領域の基本停留時間を４／３倍してその領域の停留時間を決定し、冷房時は、空調要求度の高い領域の基本停留時間を２／３倍してその領域の停留時間を決定する。逆に、空調要求度の高い領域の活動量が空調要求度の低い領域の活動量より大きい場合（例えば、前者が３で後者が２）、暖房時は、空調要求度の高い領域の基本停留時間を２／３倍してその領域の停留時間を決定し、冷房時は、空調要求度の高い領域の基本停留時間を４／３倍してその領域の停留時間を決定する。
【０１２８】
また、ステップＳ８５において、活動量の差が１ではないと判定されると、ステップＳ８７において、空調要求度の高い領域の基本停留時間を前記所定の倍率より大きい倍率で増減する。例えば、空調要求度の高い領域の活動量が空調要求度の低い領域の活動量より小さい場合（例えば、前者が１で後者が３）、暖房時は、空調要求度の高い領域の基本停留時間を５／３倍してその領域の停留時間を決定し、冷房時は、空調要求度の高い領域の基本停留時間を１／３倍してその領域の停留時間を決定する。逆に、空調要求度の高い領域の活動量が空調要求度の低い領域の活動量より大きい場合（例えば、前者が３で後者が１）、暖房時は、空調要求度の高い領域の基本停留時間を１／３倍してその領域の停留時間を決定し、冷房時は、空調要求度の高い領域の基本停留時間を５／３倍してその領域の停留時間を決定する。
【０１２９】
なお、いずれの場合も空調要求度の最も低い領域（第２あるいは中間ブロックに属する領域）に左右羽根が停留することはなく、この領域では左右羽根はスイング動作を行う。
【０１３０】
さらに、次のステップＳ８８において、空調要求度が次に高い領域と最も低い領域における人の活動量を比較し、これら二つの領域における人の活動量の差が０かどうかを判定する。なお、ステップＳ８８からステップＳ９２までの処理は、上述したステップＳ８３からステップＳ８７までの処理と同じなので、その説明は省略する。
【０１３１】
また、ステップＳ８１からステップＳ９２までの処理は所定時間毎に行われる。
【０１３２】
（空気清浄運転）
次に、本発明に係る空気調和機に空気清浄機能を付加した場合の運転制御について説明する。
【０１３３】
空気清浄機能とは、室内空気に含まれる塵埃などの不純物を除去して清浄化する機能のことを意味している。すなわち、室内空気中にはごく微細な塵埃が含まれていて、これらを原因として花粉症やアレルギーなどが引き起こされることがあることや、塵埃の堆積が室内におけるダニなどの発生原因となっていることを考慮して、空気中の塵埃を除去して室内に清浄な空気を供給するために空気清浄機能は室内機に付加されるものである。
【０１３４】
図３０は、空気清浄機能が付加された室内機を示しており、熱交換器６あるいはプレフィルタ４０の上流側に位置する前面開口部２ａに配置された空気清浄ユニットとしての電気集塵ユニット４２を備えている。なお、プレフィルタ４０は、図３あるいは図１８には図示していないが、すべての室内機に設けられて、空気中に含まれる綿埃等の比較的粗い塵埃を除去するためのものであり、図３０に示される構成では、プレフィルタ４０が電気集塵ユニット４２の集塵部を兼用している。
【０１３５】
図３１に示されるように、電気集塵ユニット４２は、プレフィルタ４０の縦方向における略中間部に所定の間隔で取り付けられた針状放電電極４４及びアース電極４６と、これらの電極４４，４６を保護するための外枠４８と、針状放電電極４４に高電圧を印可する高圧トランス（図示せず）とを備えており、ガスセンサ、光学式ホコリセンサ等の汚れセンサ５０（図３３参照）により検知された室内空気の汚れ度に応じて制御される。汚れ検知手段としての汚れセンサ５０は、例えば室内機の電源基板に実装してもよく、あるいは室内機のリモコン（遠隔制御装置）受光部の近傍に取り付けられる。
【０１３６】
高圧トランスにより昇圧された数キロボルトの高電圧が針状放電電極４４に印可されると、アース電極４６間にコロナ放電が発生し、針状放電電極４４の先端方向に電界５２が発生する。この電界５２は、前面開口部２ａより吸い込まれた室内空気中に含まれる塵埃に電荷を与え、帯電した塵埃はプレフィルタ４０にクーロン力や誘引力の作用で引き付けられて捕集される。
【０１３７】
また、電気集塵ユニット４２は吹出口１０に設置することも可能で、この場合、吹出口１０より室内に吹き出される空気は、吹出口１０に設けられた電気集塵ユニット４２の電界域で空気中に存在する酸素や水分に電荷を与え、室内空間に放出される。室内空間に放出された電荷を有する酸素や水分は、室内空気中に浮遊する塵埃と接触して塵埃が帯電粒子となり、さらに室内機に吸い込まれてプレフィルタ４０で捕集される。
【０１３８】
上記構成の電気集塵ユニット４２を有する空気調和機の運転制御は、空気調和機の停止時に領域Ａ〜Ｉのいずれかで第１乃至第５のセンサ２６，２８，３０，３２，３４により人を検知した場合に行われ、この運転をここでは「パトロール運転」と呼ぶことにする。パトロール運転時に人を検知した場合、ファン８を作動させて室内に弱い循環気流（後述）を送り、煙草煙等により汚れた空気を汚れセンサ５０まで迅速に循環させて汚れ検知速度を増大させ、その後さらに室内の汚れに連動してファン８の速度制御を行う。
【０１３９】
さらに図３２のフローチャートを参照して詳述すると、ステップＳ１０１において、リモコンに設けられたパトロール運転設定ボタンによりパトロール運転が設定されているかどうかをまず判定する。あるいは、パトロール運転設定ボタンに代えて、リモコンにメニューモードを設けておき、メニューの中からパトロール運転のＯＮ／ＯＦＦを選択するようにしてもよい。
【０１４０】
ステップＳ１０１においてパトロール運転が設定されていない場合には、ステップＳ１０２において空気調和機の停止状態を継続し、パトロール運転が設定されている場合には、ステップＳ１０３において、冷暖房運転等の空調運転かどうかを判定する。空調運転中の場合、あるいは空調運転が新たに設定された場合には、ステップＳ１０４において空調運転を行い、空調運転でない場合には、ステップＳ１０５に移行する。
【０１４１】
ステップＳ１０５においては、領域Ａ〜Ｉのいずれかの領域で人が検知されたかどうかを判定し、人が検知されない場合にはステップＳ１０２に移行する。一方、人が検知された場合には、ステップＳ１０６においてファン８を作動してその速度を冷暖房運転等の空調運転時より低く設定して室内に循環気流を送り、汚れセンサ５０による汚れ検知速度を増大させる。
【０１４２】
次のステップＳ１０７において汚れセンサ５０により室内の汚れ度を検知し、ステップＳ１０８において、検知された汚れ度が下限値以上かどうかを判定する。下限値未満の場合には、室内空気はクリーン（汚れていない）と判断してステップＳ１０２に移行する一方、下限値以上の場合には、ステップＳ１０９において、汚れセンサ５０により検知された汚れ度が第１の閾値以上かどうかを判定する。第１の閾値未満の場合には、ステップＳ１１０においてファン８の速度を循環気流に設定する一方、第１の閾値以上の場合には、ステップＳ１１１において、汚れセンサ５０により検知された汚れ度が第１の閾値より大きい第２の閾値以上かどうかを判定する。第２の閾値未満の場合には、ステップＳ１１２においてファン８の速度を第１の空気清浄運転（後述）に設定する一方、第２の閾値以上の場合には、ステップＳ１１３においてファン８の速度を第２の空気清浄運転（後述）に設定する。
【０１４３】
上述した制御は所定時間毎に行われ、ステップＳ１０２、Ｓ１１０、Ｓ１１２あるいはＳ１１３の後、ステップＳ１０１に戻る。
【０１４４】
ここで、上述した循環気流、第１の空気清浄運転及び第２の空気清浄運転につき説明する。
【０１４５】
循環気流とは、汚れや臭いの発生源に気流の循環を促し、汚れや臭いの成分を素早く検知するためのもので、人が風を感じると違和感や不快感を生じるので、ファン８の速度は、人が風を直接感じない程度の風量、例えば上述した冷暖房時の速度より低い２００〜７００ｒｐｍの範囲に設定される。あるいは領域Ａ〜Ｉ毎にファン８の設定回転数を変えてもよく、例えば室内機からの距離に応じて次のように設定される。
近距離（領域Ａ，Ｂ）：        ４００ｒｐｍ
中距離（領域Ｃ，Ｄ，Ｅ，Ｆ）：５５０ｒｐｍ
遠距離（領域Ｇ，Ｈ，Ｉ）：    ７００ｒｐｍ
【０１４６】
なお、ファン８は常時運転でもよいが、間欠運転（例えば、３秒あるいは５秒間隔）を行うように設定すると、モータ寿命の点で好ましい。
【０１４７】
また、左右羽根は人が検知された領域に風向制御されるが、通常人は生活領域あるいは生活区分Ｉの領域に移動して、喫煙等の活動を行う可能性が高いため、左右羽根は生活領域あるいは生活区分Ｉの領域に風向制御するようにしてもよい。一方、上下羽根１２は天井気流の場合の基準角度に設定される。
【０１４８】
なお、左右羽根及び上下羽根１２の角度をこのように設定することなく、任意に設定してもよい。
【０１４９】
表８は、１４畳の和室に出力４ＫＷの空気調和機の室内機を取り付け、１本の煙草に火を付けた場合におけるガスセンサが反応するまでの時間を比較検証した結果を示している。
【表８】
2009002602.tif 000010
【０１５０】
表８における循環気流では、上下羽根は煙の発生源である煙草に向かって送風されるように設定され、天井循環気流では、ファン８の速度を循環気流に比べ増大するとともに、上下羽根は略水平に送風されるように設定されている。
【０１５１】
表８より分かるように、ファン８を停止した場合の自然拡散ではガスセンサが反応するまでの時間が長いのに対し、ファン８を作動させて室内に循環気流を送るとガスセンサの反応までの時間が６０％短縮され、さらに天井循環気流の場合は約７５％短縮されている。
【０１５２】
次に、上述した第１及び第２の閾値につき図３３を参照しながら説明する。
図３３に示されるように、汚れセンサ５０は室内機に設けられた制御部５４に駆動回路５６を介して接続され、制御部５４にはさらに表示部５８が接続されている。制御部５４は記憶部６０を有し、記憶部６０には汚れ度の下限値、第１の閾値及び第２の閾値が設定されている。また、表示部５８は、空気の汚れ度の表示を汚れ度の高い方から順に赤、黄、緑で表示する。
【０１５３】
汚れセンサ５０により検知された汚れ度は駆動回路５６を介して制御部５４に入力され、記憶部６０に設定された下限値、第１の閾値あるいは第２の閾値と比較される。汚れセンサ５０により検知された汚れ度が下限値未満の場合には、室内空気は「クリーン」と判断して表示部５８にはいずれの色も表示されず、下限値以上で第１の閾値未満の場合には、室内空気は「多少汚れている」と判断して表示部５８には緑が点灯して循環気流運転が行われる。
【０１５４】
また、汚れセンサ５０により検知された汚れ度が第１の閾値以上で第２の閾値未満の場合には、室内空気は「汚れている」と判断して表示部５８には黄が点灯して第１の空気清浄運転が行われ、第２の閾値以上の場合には、室内空気は「かなり汚れている」と判断して表示部５８には赤が点灯して第２の空気清浄運転が行われる。
【０１５５】
ここで、第１の空気清浄運転は、ファン８の速度が循環気流運転時の速度より高く、例えば１１００ｒｐｍに設定され、第２の空気清浄運転は、ファン８の速度が第１の空気清浄運転時の速度より高く、例えば上述した冷暖房時の速度より高い１３５０ｒｐｍに設定される。
【０１５６】
なお、本実施の形態では、第１及び第２の閾値を設け、これらの閾値を境に室内空気の汚れ度を赤、黄あるいは緑で表示するようにしたが、閾値を一つだけ設け、室内空気の汚れ度を２色の色で表示したり、あるいは三つ以上の閾値を設け、室内空気の汚れ度を４色以上の色で表示することもできる。
【０１５７】
また、汚れセンサ５０により検知された汚れ度が下限値以上の場合には、換気ファンを作動させるのが好ましく、さらに室内空気の汚れ度に応じて換気ファンの速度制御を行うこともできる。換気ファンは、室内空気を換気するための専用ファンでもよく、室内機のプレフィルタ４０を自動的に清掃するためのフィルタ自動清掃装置（後述）に設けられた換気ファンを兼用することもできる。
【０１５８】
（酸素富化運転）
さらに、空気清浄運転は、換気運転のみならず酸素富化運転と併用することもできるので、酸素ガス富化装置について図３４を参照しながら説明する。
【０１５９】
図３４に示されるように、室外機１は、圧縮機６２と熱交換器６４とファン６６を有するとともに、一室を隔してガス富化ユニット６８、減圧ポンプ７０等の酸素ガス富化装置の主な構成部材が設けられており、室内機２には、酸素ガス富化装置から送られた酸素富化ガスが吐出される吐出口７２が設けられている。
【０１６０】
ガス富化ユニット６８は選択性ガス透過膜である酸素富化膜を備え、減圧ポンプ７０は酸素供給主管７４を介してガス富化ユニット６８に連結され、ガス富化ユニット６８の二次側を減圧する。また、減圧ポンプ７０は吐出主管７６を有し、吐出主管７６はＵ字状トラップ７８ａが一部に形成された送風管７８を介して室内機２の吐出口７２に連結されている。さらに、ガス富化ユニット６８の１次側（大気側）には、滞留する窒素富化空気を掃気するためのファン（図示せず）が配置されており、酸素ガス富化装置の運転及び運転能力に連動して作動する。
【０１６１】
なお、ガス富化ユニット６８を室外機１のファン６６を有する送風回路内に配置し、ファン６６の送風によりガス富化ユニット６８の１次側の窒素富化空気を掃気するようにしてもよい。また、ガス富化ユニット６８、減圧ポンプ７０、酸素供給主管７４及び吐出主管７６は、独立したユニットとして構成して、室外機１の枠体に装着することもできる。
【０１６２】
室内機２の吐出口７２は、室内機２の本体内部またはその近傍に配置され、室内機２内の送風回路中に配置される場合には、ファン８の動作により吹き出される送風に酸素富化空気が添加されて吹き出し口より室内空間に送出される。また、吐出口７２は、その近傍に拡管部を有することが好ましく、図３４に示される例では吐出口７２を拡管部とした構成を示している。このように拡管部を設けることで、押し出された氷結や結露水を吐出口７２からまき散らすことなく、拡管部で一旦受けることで融解・蒸発を促すことができる。
【０１６３】
酸素ガス富化運転では、減圧ポンプ７０が運転されると、ガス富化ユニット６８内で酸素富化膜を通過した空気は、酸素供給主管７４を通過して減圧ポンプ７０に吸い込まれ、酸素を富化された空気が吐出主管７６や送風管７８を順次通過して吐出口７２から室内機２内に送出される。また、減圧ポンプ７０の能力を調整することで、酸素ガス富化運転の能力を調整することができ、能力を向上させる場合、減圧ポンプ７０の能力を２０％程度向上させればよい。また、滞留する窒素富化空気を掃気するためのファン（図示せず）の能力についても、酸素ガス富化の運転能力に連動して動作させることもできる。
【０１６４】
（不在時クリーニング）
次に、空気清浄ユニットを搭載した空気調和機の不在時クリーニングについて説明する。
【０１６５】
通常は音や振動等の理由でファン８の回転数を制限しているが、不在時はこのような問題がないため、不在時クリーニングでは、塵埃を舞い上げるとともに集塵性能に優れた大風量にファン８の速度を設定している。
【０１６６】
さらに詳述すると、リモコンには不在時クリーニング設定ボタンが設けられているか、あるいはメニューの中で不在時クリーニングのＯＮ／ＯＦＦを設定することができ、リモコン操作により外出前に手動であるいは不在時に自動的に不在時クリーニングが設定される。
【０１６７】
不在時クリーニングでは、空気清浄ユニットが作動し、上下羽根１２、ファン８の速度及び換気ファンは次のように設定される。
上下羽根１２：直下気流−天井気流のスイープを繰り返し行うように設定
ファン８：通常の空調運転時より高い１４００〜１６００ｒｐｍの大風量に設定
換気ファン：運転開始
【０１６８】
なお、上下羽根１２は、直下気流→天井気流→直下気流→・・・の順にそれぞれ５〜１０秒程度毎に繰り返され所定の時間（例えば、３０分〜６０分）継続する。また、直下気流とは、室内機から略真下に向かって送風することを意味し、例えば人が領域ＡあるいはＢにいる場合の暖房時と同様に送風して床面の塵埃を効率的に舞い上げ、その後天井気流に移行することで舞い上がった塵埃を床面に落下させることなくプレフィルタ４０に付着させることができる。
【０１６９】
また、不在時クリーニング開始時に換気ファンを作動させることで、室内空気を迅速に浄化できる。
【０１７０】
左右羽根は特に設定する必要はないが、人がいる頻度が高い生活領域あるいは生活区分Ｉの領域に設定するのが好ましい。
【０１７１】
また、ファン８の実使用最大値は１３００ｒｐｍ（図１９参照、暖房時の領域ＧあるいはＩ）であり、不在時クリーニングでは、ファン８は実使用範囲を超えた速度に設定される。
【０１７２】
また、プレフィルタ４０が電気集塵ユニット４２の集塵部を兼用した構成のものにあっては、不在時クリーニングは、プレフィルタ４０に塵埃が極端に堆積しやすいので、特にプレフィルタ４０の自動清掃機能（後述）を搭載した空気調和機に適用するのが好ましい。後述するプレフィルタ自動清掃装置は、空気清浄機能で集まられた塵埃が室内機内部に蓄積されないので、清潔かつメンテナンスフリーで不在時クリーニングを行うことができる。
【０１７３】
不在時クリーニングは所定時間（例えば、約１時間）行われるが、この所定時間の間に領域Ａ〜Ｉのいずれかの領域で人が検知された場合にも終了し、前面パネル４、上下羽根１２、自動清掃用ノズル等の可動部はリセットされ、初期位置に復帰する。また、不在時クリーニングが終了すると、プレフィルタ４０には相当量の塵埃が付着していると考えられるので、プレフィルタ４０の自動清掃装置が運転するように制御される。さらに、不在時クリーニングが終了しても、室内には相当量の塵埃の浮游が考えられる（ほこりっぽい）ので、人の在不在に関係なく換気ファンは継続して所定時間（例えば、約３０分）運転するように制御される。
【０１７４】
（フィルタ自動清掃運転）
ここで、上述したフィルタ自動清掃装置について図３５乃至図４５を参照しながら説明する。
【０１７５】
図３５は、熱交換器６を通過する空気の塵埃を除去するフィルタ装置（プレフィルタ自動清掃装置）８０が組み込まれた室内機２を示しており、フィルタ装置８０は、図３６に示されるように、フィルタ枠８２とフィルタ枠８２を保持するフィルタ網８４とで構成されるプレフィルタ４０と、フィルタ網８４の表面に沿って摺動自在の吸引ノズル８６とを備えている。また、フィルタ枠８２、フィルタ網８４等は、折り曲げ形状となっており、上部は水平方向、下部は垂直方向に構成される。
【０１７６】
吸引ノズル８６はフィルタ枠８２の上下端に設置された一対のガイドレール８８により、フィルタ網８４と極めて狭い間隙を保って円滑に左右に移動することができ、フィルタ網８４上に付着した塵埃は吸引ノズル８６より吸引される。さらに、吸引ノズル８６には吸引ダクト９０の一端が連結され、吸引ダクト９０の他端は吸引装置９２に連結される。吸引装置９２は、吸引量を可変できるように、回転数の調整が可能なファンモータを用いた装置とする。吸引ダクト９０は吸引ノズル８６の移動に差し支えないように折り曲げ可能なダクトで形成される。さらに、吸引装置９２には排気ダクト９４が連結され、室外へ引き回される。フィルタ網８４に付着し、吸引ノズル８６により吸引された塵埃は吸引ダクト９０、吸引装置９２、排気ダクト９４を経由して室外へ排出される。
【０１７７】
図３７は吸引ノズル８６を斜め上方向から見た図であり、図３７に示されるように、吸引ノズル８６は、吸引した風の流通路となるノズル本体１００と、ノズル本体１００を囲むように設けられた幅２０ｍｍのベルト１０２から構成される。ノズル本体１００のフィルタ網８４側の面には、３２０ｍｍの長さ（フィルタ網８４の縦長さに相当）で、幅は３ｍｍのスリット状のノズル開口部１００ａが形成されている。
【０１７８】
一方、ベルト１０２はループ状に形成され、ノズル開口部１００ａを覆うようにノズル本体１００の外周に巻き付けられる。ベルト１０２には長さ８０ｍｍ（フィルタ網８４の縦長さの１／４）で幅２ｍｍの吸引孔１０２ａが設けてあり、吸引孔１０２ａの位置はノズル開口部１００ａの真上にくるようにベルト１０２は取り付けられる。吸引孔１０２ａ側面には、その位置を検知するために指示部１０４（図３８あるいは図３９参照）が設けられる。
【０１７９】
ノズル本体１００には、吸引孔センサ１０６（図３９参照）が指示部１０４と接触するように設けられ、常に指示部１０４の位置を検知して吸引孔１０２ａの位置を検知している。ベルト１０２の両端には映画フィルムのように等間隔の駆動穴１０８が設けられており、ノズル本体１００上に固定されたステッピング・モータ１１０に取り付けられた歯車１１２が、駆動穴１０８にかみ合うことによりベルト１０２は上下方向のいずれにも自由に駆動される。
【０１８０】
図３８は図３７におけるノズル本体１００とベルト１０２を別々にして示した図であり、図３９は吸引ノズル８６の断面図（図３７における線Ｖ−Ｖに沿った断面図）である。
【０１８１】
上記構成の吸引ノズル８６において、ベルト１０２を駆動する別な構成としては、歯車１１２に代えてゴムローラ等を使用することもできる。また、装置の小型化を図るためベルト１０２はループ状に形成しているが、リールなどを設けてベルトを巻き取らせることもできる。
【０１８２】
上記構成の吸引ノズル８６はフィルタ網８４の全面の吸引清掃を行うが、その具体的動作について、図３６、図４０乃至図４２を用いて説明する。
【０１８３】
図４０は図３６に図示したフィルタ網８４の清掃範囲Ａ，Ｂ，Ｃ，Ｄに応じた吸引孔１０２ａの位置を示した図（吸引ノズル８６を背面から見た図）である。なお、実際の吸引ノズル８６は図３６に示されるように、フィルタ網８４に沿って折れ曲がった構造をとるが、図４０においては見やすくするため吸引ノズル８６を真直に伸ばした状態で記載している。
【０１８４】
まず、図３６におけるフィルタ網８４のＡの範囲を吸引清掃する場合、ベルト１０２を駆動して吸引孔１０２ａを図４０（ａ）に示されるようにＡの位置に固定する。図４１に示されるように、この状態で吸引しながら吸引ノズル８６をフィルタ網８４の右端から左端まで駆動することでフィルタ網８４のＡの水平方向の範囲が吸引清掃できる。
【０１８５】
次に、図３６におけるフィルタ網８４のＢの範囲の吸引清掃に移行するため、ベルト１０２を駆動して吸引孔１０２ａを図４０（ｂ）に示されるＢの位置に固定する。同様に、この状態で吸引しながら吸引ノズル８６をフィルタ網８４の左端から右端まで駆動することで今度は図３６におけるフィルタ網８４のＢの水平方向の範囲が吸引清掃できる。同様にして図３６におけるフィルタ網８４のＣ、Ｄの範囲も吸引清掃できる。図３６におけるフィルタ網８４のＣ、Ｄの範囲は、水平方向に設けられているので、Ａ，Ｂの範囲より塵埃の付着量が多くなり、より多くの吸引量が必要となる。
【０１８６】
図４１及び図４２は、この吸引清掃の順序を矢印で示した図であるが、図３６におけるフィルタ網８４のＡ，Ｂの範囲は、図４１に示されるように水平方向の１列を吸引ノズル８６を１方向にのみ水平移動させて清掃を行い、図３６におけるフィルタ網８４のＣ、Ｄの範囲は、図４２に示されるように水平方向の１列を吸引ノズル８６を両方向に水平移動（往復移動）させて清掃を行う。このような横スイープの吸引動作を行うことでフィルタ網８４の全面を略均一に清掃することができる。
【０１８７】
なお、図３６に示されるように、フィルタ枠８２の両側にはリミットスイッチ９６，９８が設けられており、これらのリミットスイッチ９６，９８に吸引ノズル８６が当接することで、吸引ノズル８６は水平方向に往復移動を行う。
【０１８８】
上述したように、吸引孔１０２ａの位置は吸引孔センサ１０６により検知され、吸引孔１０２ａの位置がフィルタ網８４の上部にある場合は、吸引ノズル８６を往復駆動させ、吸引回数を増やすことにより塵埃の残存を極力低減することができる。すなわち、位置検知手段としての吸引孔センサ１０６により検知された吸引孔１０２ａの位置に応じて吸引ノズル８６の清掃能力を変更することで、フィルタ網８４の全面を略均一に清掃することができる。
【０１８９】
また、吸引孔１０２ａの位置がフィルタ網８４の上部にある場合は、吸引装置９２の出力を上げ、吸引量を増加することにより塵埃の残存を極力低減することもできる。この場合、吸引ノズル８６は、図４１に示されるような動作を行って清掃を行う。
【０１９０】
さらに、吸引孔１０２ａの位置がフィルタ網８４の上部にある場合は、吸引ノズル８６の水平方向の駆動速度を低下させ、吸引時間を長くすることにより塵埃の残存を極力低減することもできる。
【０１９１】
なお、図４３に示されるように、ノズル本体１００にフィルタ網８４表面の塵埃付着量を検知する塵埃センサ１１４を設け、塵埃センサ１１４により検知された塵埃の付着量が多い部分は、吸引孔センサ１０６により検知した吸引孔１０２ａを当該部分に位置合わせした後、局所的に吸引装置９２の出力を上げ、吸引量を増加したり、局所的に吸引ノズル８６の水平方向の駆動速度を低下させて吸引時間を長くすることにより塵埃の残存を低減することもできる。すなわち、塵埃検知手段としての塵埃センサ１１４により検知された塵埃の付着量に応じて吸引ノズル８６の清掃能力を変更することで、フィルタ網８４の全面を略均一に清掃することができる。
【０１９２】
図４４及び図４５は空気調和機のフィルタ装置８０に設けられた吸引装置９２を示しており、この吸引装置９２は後述する構成を有することにより、換気運転のための換気ユニットとしても機能する。なお、換気運転は、シロッコファン１１６の回転数を調整することで、換気風量を異ならせて能力の調整を行うことができ、例えば、通常時よりも能力を向上（例えば、２０％）させて換気を行うことができる。また、通常の換気運転は、開口部１１８を通して行う必要はなく、例えば、吸引ノズル８６のノズル開口部１００ａを通じて行うようにしてもよい。
【０１９３】
図４４及び図４５に示されるように、吸引装置９２はシロッコファン１１６を内蔵し、シロッコファン１１６をモータで高速回転させることで吸引力を発揮する。吸引装置９２の吸引側には吸引ダクト９０が連結され、排気側には排気ダクト９４が連結される。さらに、吸引装置９２の吸引側には開口部１１８が形成されており、開口部１１８の片側にはステッピング・モータ１２０に連結された開閉板１２２が揺動自在に取り付けられている。ステッピング・モータ１２０により開閉板１２２を駆動すると、開口部１１８が開閉する。開閉板１２２の開口部１１８側の表面にはシール材１２４が貼付されており、開口部１１８が開閉板１２２により閉止されると、開閉板１２２は開口部１１８の周縁と密着する。
【０１９４】
以上のように構成されたフィルタ装置の動作、作用を以下説明する。
吸引装置９２で吸引できる風量は吸引から排気に至る各経路の通風抵抗の合計で決まってくるため、通風抵抗の合計が小さい方が吸引風量が大きくなる。この観点から排気ダクト９４の通風抵抗をより小さくすること、つまり、排気ダクト９４の通風路断面積をより大きくとることが吸引清掃時及び換気運転時の吸引力を高めることにつながる。しかし、排気ダクト９４の通風路断面積を大きくしすぎると、吸引清掃後に吸引ノズル８６と吸引ダクト９０の内部に堆積した塵埃が排気ダクト９４内で再び堆積する可能性がある。また、吸引装置９２のケーシングへの塵埃堆積や、シロッコファン１１６のブレード（羽根）への塵埃の付着も発生する。
【０１９５】
そこで、吸引装置９２に開口部１１８及び開閉板１２２を設け、開口部１１８を開放すると、吸引の風はほとんど全てが開口部１１８から吸引されることになる。開口部１１８の面積は、吸引ノズル８６のノズル開口部１００ａの開口面積よりかなり大きくできるので（吸引装置９２の方が吸引ノズル８６より大きいため）、吸引孔１０２ａから吸引される風の風速は遅く、吸引装置９２の通風抵抗は非常に低いものとなる。さらに、吸引ノズル８６と吸引ダクト９０には風は流れないので、吸引孔通風抵抗と吸引ノズル通風抵抗と吸引ダクト通風抵抗は０である。したがって、通風抵抗の合計は排気ダクト９４の通風抵抗だけに近い値となり、非常に低くできる。
【０１９６】
その結果、シロッコファン１１６の回転数は吸引清掃時と同じであっても、吸引装置９２と排気ダクト９４を流れる風量を著しく増大させることができる。この時の風量は、通常の家屋において換気を行えるほどの風量にもなるので、室内空気を室外へ排出するすなわち通常時よりも能力を向上させた換気運転を行うことができる。この時、吸引装置９２と排気ダクト９４を流れる風量を著しく増大させることができるため、シロッコファン１１６のブレードに付着した塵埃も吹き飛ばすことができ、シロッコファン１１６が塵埃で詰まることもない。
【０１９７】
開閉板１２２を駆動して開口部１１８を開いた時は換気ファンとして吸引装置９２を用い、吸引清掃を行う場合は開口部１１８を閉じてベルト１０２の吸引孔１０２ａから塵埃を吸引する吸引ファンとして吸引装置９２を用いることができる。すなわち、同じ吸引装置９２で吸引清掃機能と換気機能を実現できることになる。
【０１９８】
ところで、開口部１１８の周縁に若干の塵埃が付着して完全に閉まらないようになり吸引漏れを起こし、吸引清掃性能が低下することも考えられるので、開閉板１２２の表面には柔軟に変形し、なおかつ永久変形の少ないシール材１２４を貼付して、吸引漏れを防止している。シール材１２４としては、ＥＰＴ（エチレンプロピレンゴム）等の柔軟な発泡材を用いることができるが、圧縮変形に強い耐性のあるゲル材等を用いても良い。
【０１９９】
図４４及び図４５は開口部１１８の開状態と閉状態をそれぞれ示しており、図４４における白矢印は吸引される風を表し、図４５における白矢印も同様に吸引される風を表している。
【０２００】
なお、吸引装置９２に用いるファンはシロッコファンの他、ターボファン等を用いることもできるが、換気機能を必要とする場合、風量が大きいシロッコファンを用いるのが好ましい。換気機能を必要としない場合、ターボファンの方が強い吸引力が得られる場合もある。
【０２０１】
（活動量に基づく空気清浄運転）
次に、在室者の活動量に応じて行う空気清浄運転について以下説明する。
この運転は、リモコンに設定されたメニューモードでユーザが当該運転を設定し、基本的には冷暖房運転等の空調運転を行っていない場合に、領域Ａ〜Ｉのいずれかの領域にいる人が所定量（例えば、活動量「大」あるいは「中」）以上の動作をしたときに行われる。
【０２０２】
図４６のグラフは、人が着衣動作を行った場合と歩行動作を行った場合のホコリ粒子数を示しており、人が通常の（日常的な）動作を行うことで塵埃が舞い上がることを示している。
【０２０３】
したがって、ある領域における人の活動量が活動量検知手段により所定量以上と判定された場合に、空気清浄ユニットを作動させるとともにファン８の運転を開始し、その領域（暖房時の人の足元手前）に送風されるように上下羽根１２及び左右羽根の風向制御が所定時間（例えば、１５〜３０分）行われる。ファン８の速度は冷房時あるいは暖房時の速度に設定してもよく、暖房時の速度より多少（例えば、１００ｒｐｍあるいは１０％）高い速度に設定すると、より効果的に集塵することができる。あるいは、ファン８の速度を領域に関係なく一定の速度（例えば、約１１００ｒｐｍ）に設定するようにしてもよい。
【０２０４】
なお、人の活動中は塵埃が常に舞い上がるが、図４６に示されるように、活動開始時が最も多く舞い上がるので、ファン８の運転開始は、人の活動量が活動量検知手段により所定量以上と判定された後、所定時間（例えば、５〜３０秒）経過後が好ましく、換気ファンを同時に運転開始するのがさらに好ましい。
【０２０５】
また、上下羽根１２は、上述した不在時クリーニングと同様、直下気流−天井気流のスイープをそれぞれ５〜１０秒程度毎に繰り返し行うように設定され、直下気流により人の活動で発生した塵埃を舞い上がらせ、天井気流で舞い上がった塵埃を落下させることなくプレフィルタ４０により確実に集塵することができる。
【０２０６】
この在室者の活動量に応じて行う空気清浄運転は、上記所定時間が経過するか、ユーザが空調運転を選択した場合に終了する（空調運転優先）。また、この運転はリモコンにより空調運転中に行うように設定することも可能で、例えば冷暖房運転中に、所定量以上の活動量が検知された領域に対し所定時間（例えば、５〜３０秒）だけ空気清浄運転を行い、その後元の冷暖房運転に復帰するようにしてもよい。
【０２０７】
なお、二つ以上の領域で所定量以上の活動量が検知された場合には、室内機に近い領域に対し上記運転は行われる。
【０２０８】
図４７のグラフは、６畳の部屋に出力２．２ＫＷの空気調和機の室内機を取り付け、人の動作時に空気清浄ユニットを運転しない場合と、従来の方法で塵埃発生位置を推定することなく空気清浄ユニットを運転した場合と、上述したように塵埃発生位置を推定しファン８の速度を増大して空気清浄ユニットを運転した場合のプレフィルタ４０に集塵されたホコリ粒子数を示している。
【０２０９】
図４７から分かるように、空気清浄ユニットを運転しない場合、塵埃は拡散した後殆ど落下しており、従来の方法で空気清浄ユニットを運転した場合、塵埃発生位置を推定できずファン速度が低いので、集塵速度が遅く集塵効率も低い。一方、本実施の形態のように空気清浄ユニットを運転した場合、推定された塵埃発生位置に素早く送風できるので、集塵速度が速く集塵効率も高い。
【０２１０】
また、上述した電気集塵ユニット４２で構成される空気清浄ユニットは、マイナスイオン発生装置と言うこともでき、酸素が負イオン化したスーパーオキシドアニオンを室内に放出して塵埃をプレフィルタ４０に集塵する。
【０２１１】
スーパーオキシドアニオンは生体細胞内において様々な生理障害を引き起こし細胞を失活させることにより、アレルゲン、ウイルス、浮遊カビ、浮遊細菌等の室内空気中に浮遊する空気中の不純物の活動を抑制し、不活性化させる。
【０２１２】
（アレルゲン抑制物質放出制御）
したがって、マイナスイオン発生装置はアレルゲン抑制手段として作用するので、在室者の活動量に応じて行うアレルゲン抑制物質放出制御について以下説明する。
【０２１３】
アレルゲン抑制手段は、アレルギーを引き起こす花粉、ダニ（糞、死骸等を含む）のアレルゲン作用を抑制する手段、浮遊カビ菌等を除菌したりその活動を抑制する手段、あるいはアレルギーの原因となるダニを忌避する手段等の総称である。
【０２１４】
アレルゲン抑制手段としては、上述したマイナスイオン発生装置以外にも、水クラスター発生装置、プラスイオンとマイナスイオンを同時に放出するイオン発生装置、揮発性を有する抗菌及び防かび剤あるいはこれらの抗菌及び防かび剤と併用してフィトンチッド・フラボノイド等の発散性天然植物精油を使用したもの等、従来公知のものを使用することができる。
【０２１５】
水クラスター発生装置は、水を放電によって酸化力の高いラジカルやイオン等を含んだ微細な水粒子として空気中に放出するもので、例えば特開２００６−２５８１６号公報、特開２００６−１７０４６７号公報等に開示されている。
【０２１６】
また、プラスイオンとマイナスイオンを同時に放出するイオン発生装置は、絶縁体を挟んで対向する一対の電極を有し、両電極間に交流電圧を印可することによりプラスイオンとマイナスイオンを発生する装置で、例えば特開２００２−６５８３６号公報等に開示されている。
【０２１７】
さらに抗菌及び防かび剤等を使用した防かび方法については、揮発性を有する抗菌及び防かび剤あるいはこれらにフィトンチッド・フラボノイド等の発散性天然植物精油（檜葉、檜、杉等の木材精油）を混入して通気性ケースに充填したり、あるいは多孔性粒子に含浸して通気性ケースに充填し、通気性ケースを室内機２の前面開口部２ａの近傍に配置したものが提案されており、例えば特開平９−５９１０３号公報等に開示されている。
【０２１８】
アレルゲン抑制物質放出制御は、ある領域における人の活動量が活動量検知手段により所定量以上と判定された場合に、アレルゲン抑制手段を作動させるとともに、空調運転を行っていない場合はファン８の運転を開始し、その領域に天井気流が送風されるように上下羽根１２及び左右羽根の風向制御を所定時間（例えば、３０〜６０分）行う一方、空調運転を行っている場合には、上下羽根１２及び左右羽根の風向制御を前記所定時間より短い時間（例えば、１５〜３０分）で連続運転あるいは間欠運転を行う。
【０２１９】
なお、暖房運転中の場合は、暖房運転を優先し、上下羽根１２は人の足元手前狙いで風向制御されるが、アレルゲン抑制物質放出制御運転を優先し、暖房中も天井気流となるようにリモコンで設定できるようにしてもよい。
【０２２０】
ここで、アレルゲン抑制物質放出制御において天井気流が有効なのは次の理由による。
アレルゲン物質である花粉は、一般に数十μｍ（例えば、杉花粉は２０〜４０μｍ）であり、ダニは成虫で０．３〜０．４ｍｍ（ヒョウダニ）で、ダニの死骸あるいは糞は２０〜３０μｍ程度である。これらの「比較的大きな粒子」は、室内で大きい運動が発生した場合に舞い上がるが、短時間で落下し、床上５０ｃｍまでの高さに滞留したり完全に床面に落下するか、あるいは壁面に付着する。また、人が歩き回る程度の運動が継続する場合は、あまり高く舞い上がらず床上５０ｃｍまでの高さに滞留する。
【０２２１】
天井気流は気流が壁面に付着するように流れ、この天井気流を利用することにより、アレルゲン物質が滞留する床面近傍、最終的に付着する床面あるいは壁面にアレルゲン抑制物質を効率的に行き渡らせることができる。
【０２２２】
ファン８の速度は冷房時あるいは暖房時の速度に設定してもよく、暖房時の速度より多少（例えば、１００ｒｐｍあるいは１０％）高い速度に設定すると、より効果的に集塵することができる。あるいは、ファン８の速度を領域に関係なく一定の速度（例えば、約１１００ｒｐｍ）に設定するようにしてもよい。また、換気ファンを同時に運転開始するのが好ましい。
【０２２３】
この在室者の活動量に応じて行うアレルゲン抑制物質放出制御は、上記所定時間が経過するか、ユーザが空調運転を選択した場合に終了する（空調運転優先）。また、この運転は空調運転中に行うように設定することも可能で、例えば、冷暖房運転中に、所定量以上の活動量が検知された領域に対し所定時間（例えば、１５〜３０分）だけアレルゲン抑制物質放出制御運転を行い、その後元の冷暖房運転に復帰するようにしてもよい。
【０２２４】
また、アレルゲン抑制手段からのアレルゲン抑制物質放出量の調節方法としては、イオン発生装置あるいは水クラスター発生装置の場合は、放電電流あるいは印可電圧を増減すればよく、抗菌及び防かび剤等を使用する場合は、通気性ケースの加熱温度を調節すればよい。
【０２２５】
（室内機の設置位置自動認識）
また、室内機が図１４に示されるように配置された場合、第１乃至第５のセンサ２６，２８，３０，３２，３４を使用して室内機が左側壁の近傍に設置されたと判定し、左側壁より右側に位置する領域のみ左右羽根の作動制御を行うこともできる。この場合、第１乃至第５のセンサ２６，２８，３０，３２，３４で構成される人体検知装置は室内機の設置位置自動認識手段として作用する。
【０２２６】
さらに、この人体検知装置を室内機の設置位置自動認識手段として使用するとともに、室内機が左側壁あるいは右側壁の近傍に配置された場合に、左右羽根の設定角度を補正するようにしてもよい。
【０２２７】
すなわち、図２２に示されるように左右羽根の設定角度を固定し、室内機が左側壁あるいは右側壁の近傍に配置されている場合、左側壁あるいは右側壁近傍の領域の空調度は適正とは言えず、他の領域に比べ過剰空調となる傾向がある。そこで、左側壁あるいは右側壁近傍の領域における左右羽根の角度を壁と反対側に所定の角度補正することで、いずれの領域においても快適な空調空間を実現することができる。
【０２２８】
例えば、室内機を左側壁近傍に設置した場合、図４８に示されるように、左側壁近傍の領域である領域Ａ，Ｃ，Ｄ，Ｇ，Ｈにおける左右羽根の角度を図２２のように設定された設定角度から壁と反対側に１５°シフトして補正すればよい。
【０２２９】
さらに、室内機が左側壁あるいは右側壁の近傍に配置されている場合、上述したように、左側壁あるいは右側壁近傍の領域における左右羽根の角度を壁と反対側に所定の角度補正した上で、空調すべき領域が二つ以上の方向に分散している場合の左右風向制御は、左右羽根の設定角度を左右両端の領域で固定し、その時の停留時間を、室内機と空調すべき領域との相対位置と、空調すべき領域における人の活動量（活動状態）に応じて時間配分してもよい。
【０２３０】
なお、室内機の設置位置自動認識手段としてのセンサは少なくとも二つ設ければよく、図４において光軸が同一平面上にある第１及び第２のセンサ２６，２８を設けた場合を例に取り、さらに説明する。
【０２３１】
二つのセンサ２６，２８を設けた場合、二つのセンサ２６，２８からの周期Ｔ１毎の出力を所定時間（例えば、３〜４時間）累積し、この累積した反応結果を一つの閾値と比較することにより二つの領域は生活領域と非生活領域あるいは二つの生活領域に区分される。なお、比較される閾値は、例えば上述した第２の閾値であってもよい。
【０２３２】
室内機を左側壁の近傍（例えば１ｍ以内）に設置した図４９の例では、領域Ａは非生活領域と判定され、領域Ｂは生活領域と判定されるのに対し、室内機を右側壁の近傍（例えば１ｍ以内）に設置した場合には、室内機の正面から左側の領域が生活領域と判定され、室内機の正面から右側の領域が非生活領域と判定される。また、室内機を壁の中央に設置した場合には、室内機の正面から左側及び右側の領域は両方とも生活領域と判定される。
【０２３３】
このように室内機の設置位置を自動的に認識することで、生活領域のみの空調を行うことができるように空気調和機の上下方向の風向制御手段や左右方向の風向制御手段の作動制御を行えばよい。本実施の形態の壁掛け型室内機では、風向制御手段である上下羽根や左右羽根の作動制御を行う。
【０２３４】
また、室内機が側壁近くに設置されている場合、吹出口１０から吹き出される風によりカーテンが揺れると、人体検知センサがカーテンを人と誤検知して人がいる方向に風が流れなかったり、人がいないのに人がいると誤判定する等の問題がある。
【０２３５】
しかしながら、第１及び第２のセンサ２６，２８により構成される人体検知装置は、図４９に示されるように、第１のセンサ２６が領域Ａにおける人の在否を検知する一方、第２のセンサ２８が領域Ａとは重ならないように分離された領域Ｂにおける人の在否を検知する。したがって、領域Ａ及びＢは、第１のセンサ２６の光軸と第２のセンサ２８の光軸との間に位置する中心線を境に近接して分離されており、この人体検知装置を室内機に設けた場合、領域Ａ及び領域Ｂは室内機の正面より左右に分離しており、互いに重なることがない領域Ａ及び領域Ｂにおけるセンサの検知反応を所定時間それぞれ累積した結果を基に生活領域と非生活領域の区別を確実に行うことができる。ここで、生活領域と非生活領域の区別を行うことにより、非生活領域でセンサの検知反応が有った場合に、非生活領域に対して風向制御を行わない。換言すれば、この場合、生活領域のみの風向制御となる。これによって、生活領域に人がいる場合に、もし非生活領域でカーテンの揺れ等のイレギュラーな反応を検知しても人以外の反応と判定し、非生活領域に風が流れないように風向を制御することで、人がいる生活領域の快適性が損なわれるのを防止することができる。また、室内から人がいなくなった場合においても、もし非生活領域でカーテンの揺れ等のイレギュラーな反応を検知しても人以外の反応と判定し、人がいると誤判定するのを防止することができる。
【０２３６】
また、図４に示される第３のセンサ３２を人体検知装置に設けて、図５０に示されるように、第１のセンサ２６の光軸と第２のセンサ２８の光軸との間に位置する中心線の両側にまたがる領域Ｃにおける人の在否を検知することができ、領域Ｃに人がいると判定した場合、室内機の正面から見て右側の領域Ｃ２に人がいると推定でき、一つのセンサ３２を追加するだけで、左右にまたがる領域の左右のいずれの位置に人がいるかを判定できる。
【０２３７】
図５１は、六つのセンサからなる人体検知装置を室内機に設けて人体位置判別領域を複数の領域に区分し、室内機の正面から見て近接して左右に分離された二つの領域を二組配置した場合を示している。
【０２３８】
図５１に示される例では、領域ＡとＢあるいは領域ＤとＥが左右に近接して分離された領域を示しており、互いに重なることがない領域Ａ及びＢあるいは領域Ｄ及びＥにおけるセンサの検知反応を所定時間それぞれ累積した結果を基に生活領域と非生活領域の区別をより確実に行うことができる。
【０２３９】
（不在検知省エネ制御及び切り忘れ防止制御）
また、室内機にはタイマーが設けられており、このタイマーを使用して不在検知省エネ制御及び切り忘れ防止制御が行われ、この不在検知省エネ制御及び切り忘れ防止制御について以下説明する。
【０２４０】
まず、表９及び図５２を参照しながら、暖房時の制御について説明する。
【表９】
2009002602.tif 000011
【０２４１】
図５２は温度シフトの一例を示しており、ここでは設定温度Ｔsetを２８℃とし、目標温度（限界値）を２０℃とした場合について説明する。なお、ΔＴは設定温度Ｔsetと目標温度との差温である。
【０２４２】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に低減する。さらに、時間ｔ２（例えば、カウント開始後３０分）において人の不在が確認されると、２℃（１／４ΔＴ）だけ設定温度Ｔsetを自動的にさらに低減する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に低減する。
【０２４３】
時間ｔ４においては、設定温度Ｔsetより合計８℃低減されて目標温度に等しい２０℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。
【０２４４】
なお、時間ｔ１から時間ｔ５までの間に人の存在が検知されると、時間ｔ１以前の設定温度Ｔsetに復帰させる。
【０２４５】
また、温度シフト幅（低減温度）は設定温度Ｔsetと目標温度との差温ΔＴに応じて表９のように設定され、差温ΔＴが小さいほど温度シフト幅も小さい。また、設定温度Ｔsetが目標温度より低い場合は、現状温度に維持されるが、時間ｔ５において人の不在が確認されると、空気調和機の運転を停止するのは図５２の例と同じである。
【０２４６】
次に、表１０及び図５３を参照しながら、冷房時の制御について説明する。
【表１０】
2009002602.tif 000012
【０２４７】
図５３は温度シフトの一例を示しており、ここでは設定温度Ｔsetを２０℃とし、目標温度（限界値）を２８℃とした場合について説明する。なお、ΔＴは設定温度Ｔsetと目標温度との差温である。
【０２４８】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に増大する。さらに、時間ｔ２（例えば、カウント開始後３０分）において人の不在が確認されると、２℃（１／４ΔＴ）だけ設定温度Ｔsetを自動的にさらに増大する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に増大する。
【０２４９】
時間ｔ４においては、設定温度Ｔsetより合計８℃増大されて目標温度に等しい２８℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。
【０２５０】
なお、時間ｔ１から時間ｔ５までの間に人の存在が検知されると、時間ｔ１以前の設定温度Ｔsetに復帰させる。
【０２５１】
また、温度シフト幅（増大温度）は設定温度Ｔsetと目標温度との差温ΔＴに応じて表１０のように設定され、差温ΔＴが小さいほど温度シフト幅も小さい。また、設定温度Ｔsetが目標温度より高い場合は、現状温度に維持されるが、時間ｔ５において人の不在が確認されると、空気調和機の運転を停止するのは図５３の例と同じである。
【０２５２】
図５４は、ファン８の風量（回転数）と室外機に設けられた圧縮機の能力を制御することにより省電力運転を達成する例を示している。
【０２５３】
すなわち、ファン８の風量を増大すると熱交換器６の熱交換効率が向上し、圧縮機の周波数が同じ場合には冷房あるいは暖房能力が増大するので、室内温度を同じ設定温度に保持するためには、圧縮機の周波数を低減することが可能となり、必要な消費電力は減少する。また、不在時にファン８の風量を増大しても気流が強すぎることによる不快感や、ファン８の騒音増大による快適性の問題が生じることはない。
【０２５４】
図５４（ａ）に示されるように、第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、図５４（ｂ）に示されるように、ファン８の風量を増大させるとともに、図５４（ｃ）に示されるように、圧縮機の周波数を段階的に時間ｔ２（例えば、カウント開始後３０分）まで減少させる。時間ｔ１経過後はファン８の風量は一定（限界値）に保持され、時間ｔ２経過後は圧縮機の周波数は一定（限界値）に保持されるが、時間ｔ２、時間ｔ３（例えば、カウント開始後１時間）、時間ｔ４（例えば、カウント開始後２時間）、時間ｔ５（例えば、カウント開始後４時間）において人の不在が継続して確認されると、時間ｔ５において空気調和機の運転を停止して、空気調和機の切り忘れを防止する。
【０２５５】
なお、時間ｔ１から時間ｔ５までの間に人の存在が検知されると、時間ｔ１以前の設定風量及び設定周波数に復帰させる。
【０２５６】
また、上述した図５２乃至図５４の例はいずれも、通常運転中、所定時間人がいない場合には、通常運転時より消費電力が少ない省電力運転を行うものであり、その後さらに所定時間人がいない場合には、空気調和機の運転を停止して省エネを達成している（「通常運転」とは、「使用者が指示した運転」）。
【０２５７】
さらに、不在が長時間継続しているにもかかわらず、温度変化を惹起するおそれのあるカーテン等の人以外の外乱を人体検知センサが誤検知した場合、不在（無人）状態で通常運転をいつまでも継続することも考えられるので、時間ｔ５より長い所定時間ｔ６（例えば、２４時間）経過すると運転を停止することで確実に切り忘れを防止することができる。また、時間ｔ５あるいは時間ｔ５より長い所定時間ｔ６経過後の運転停止直前には本体やリモコンに音声やＬＥＤランプ等で聴覚的あるいは視覚的に報知したり、画面に文字を表示するのが好ましい。さらに、時間ｔ５あるいは時間ｔ５より長い所定時間ｔ６経過後の自動運転停止を行うか否かを選択できる自動停止選択手段をリモコン等に設けると使い勝手が向上する。
【０２５８】
上述した不在検知省エネ制御及び切り忘れ防止制御は、室内機に少なくとも一つの人体検知センサを備えた空気調和機であれば、一つの人体検知センサからの出力に応じて不在検知省エネ制御及び切り忘れ防止制御を行うことができる。
【産業上の利用可能性】
【０２５９】
本発明にかかる空気調和機は、人の不在時に室内に蓄積した塵埃を積極的に除去して快適な室内環境を常に維持することができるので、特に一般家庭用の空気調和機として有用である。
【図面の簡単な説明】
【０２６０】
【図１】本発明にかかる空気調和機の室内機を示しており、（ａ）は正面図、（ｂ）は上部に設けられた人体検知装置のカバーを取り外した状態の正面図、（ｃ）は側面図
【図２】前面パネルが前面開口部を開放した状態の図１（ｂ）の室内機を示しており、（ａ）は斜視図、（ｂ）は側面図
【図３】図１の室内機の縦断面図
【図４】人体検知装置を示しており、（ａ）は正面図、（ｂ）は側面図、（ｃ）は斜視図
【図５】人体検知装置の取付位置の変化に基づく視野範囲の変化を示す概略図
【図６】任意の球の表面上に人体検知装置を構成するセンサユニットを設けた場合の室内機の側面図
【図７】任意の球を任意の平面で切り取り、この平面とセンサユニットの光軸との交点にセンサユニットを設けた場合の室内機の側面図
【図８】図７のセンサユニットの正面図
【図９】人体検知装置に設けられた各センサユニットで検知される人体位置判別領域を示す概略図
【図１０】三つのセンサユニットにより検知される領域区分の概略図
【図１１】図９に示される各領域に領域特性を設定するためのフローチャート
【図１２】図９に示される各領域における人の在否を最終的に判定するフローチャート
【図１３】各センサユニットによる人の在否判定を示すタイミングチャート
【図１４】図１の室内機が設置された住居の概略平面図
【図１５】図１４の住居における各センサユニットの長期累積結果を示すグラフ
【図１６】図１の室内機が設置された別の住居の概略平面図
【図１７】図１６の住居における各センサユニットの長期累積結果を示すグラフ
【図１８】図１の室内機に設けられた上下羽根の作動状態を示す室内機の縦断面図
【図１９】図９に示される各領域の空調を行う場合のファンの設定回転数を示す概略図
【図２０】図９に示される各領域の暖房を行う場合の上下羽根と左右羽根の設定角度を示す概略図
【図２１】図９に示される各領域の冷房を行う場合の立ち上がりあるいは不安定時の上下羽根と左右羽根の設定角度を示す概略図
【図２２】図９に示される各領域の冷房を行う場合の安定時の上下羽根と左右羽根の設定角度を示す概略図
【図２３】空調すべき領域の数に応じて行われる風向制御を示すフローチャート
【図２４】二つの領域を空調する場合の配置モードを示す概略図
【図２５】三つの領域を空調する場合の配置モードを示す概略図
【図２６】二つの領域を空調する場合の各領域の空調度の重み付けを示す概略図
【図２７】人の活動量の分類方法を示すフローチャート
【図２８】空調すべき領域の停留時間を決定するパラメータとして人の活動量を採用した場合のフローチャート
【図２９】空調すべき複数の領域を三つのブロックに割り当てた場合において、空調すべき領域の停留時間を決定するパラメータとして人の活動量を採用した場合のフローチャート
【図３０】空気清浄ユニットを備えた室内機の縦断面図
【図３１】空気清浄ユニットとしての電気集塵ユニットが取り付けられたプレフィルタの斜視図
【図３２】空気清浄運転を示すフローチャート
【図３３】空気清浄運転を行うための制御回路を示すブロック図
【図３４】酸素ガス富化装置を備えた空気調和機の概略図
【図３５】プレフィルタ自動清掃装置を備えた室内機の縦断面図
【図３６】図３５の室内機に設けられたプレフィルタ自動清掃装置の斜視図
【図３７】図３６のプレフィルタ自動清掃装置に設けられた吸引ノズルの斜視図
【図３８】図３７の吸引ノズルの分解斜視図
【図３９】図３７における線Ｖ−Ｖに沿った断面図
【図４０】フィルタ網の清掃範囲に応じた吸引孔の位置を示す模式図であり、（ａ）は範囲Ａを清掃する場合の吸引孔の位置を、（ｂ）は範囲Ｂを清掃する場合の吸引孔の位置を、（ｃ）は範囲Ｃを清掃する場合の吸引孔の位置を、（ｄ）は範囲Ｄを清掃する場合の吸引孔の位置をそれぞれ示す模式図
【図４１】プレフィルタ自動清掃装置の吸引清掃順序を示す模式図
【図４２】プレフィルタ自動清掃装置の吸引清掃順序を示す別の模式図
【図４３】吸引ノズルの変形例を示す図３７における線Ｖ−Ｖに沿った断面図
【図４４】開口部が開状態にある吸引装置の構成例を示す模式図
【図４５】開口部が閉状態にある吸引装置の構成例を示す模式図
【図４６】人が着衣動作を行った場合と歩行動作を行った場合のホコリ粒子数を示すグラフ
【図４７】人の動作時に、空気清浄ユニットを運転しない場合と、従来の方法で空気清浄ユニットを運転した場合と、塵埃発生位置を推定して空気清浄ユニットを運転した場合のプレフィルタに集塵されたホコリ粒子数を示すグラフ
【図４８】室内機を左側壁近傍に設置した場合の補正後の左右羽根の設定角度を示す概略図
【図４９】室内機を左側壁の近傍に設置した場合の生活領域と非生活領域の判定方法を示す室内の概略図
【図５０】室内機を左側壁の近傍に設置した場合の生活領域と非生活領域の別の判定方法を示す室内の概略図
【図５１】室内機を左側壁の近傍に設置した場合の生活領域と非生活領域のさらに別の判定方法を示す室内の概略図
【図５２】暖房時の温度制御を示すタイミングチャート
【図５３】冷房時の温度制御を示すタイミングチャート
【図５４】ファンの風量と室外機に設けられた圧縮機の能力を制御することにより省電力運転を達成する場合のタイミングチャート
【符号の説明】
【０２６１】
１    室外機、  ２    室内機（本体）、  ２ａ  前面開口部、  ２ｂ  上面開口部、
４    可動前面パネル、  ５    カバー、  ６    熱交換器、  ８    ファン、  
１０  吹出口、  １２  上下羽根、  １４  中羽根、  １６  中羽根駆動機構、  
１８，２０，２２，２４  アーム、  ２６，２８，３０，３２，３４  センサユニット、
２６ａ，２８ａ，３０ａ，３２ａ，３４ａ  回路基板、
２６ｂ，２８ｂ，３０ｂ，３２ｂ，３４ｂ  レンズ、  ３６  センサホルダ、  
４０  プレフィルタ、  ４２  電気集塵ユニット、  ４４  針状放電電極、  
４６  アース電極、  ４８  外枠、  ５０  汚れセンサ、  ５２  電界、  
５４  制御部、  ５６  駆動回路、  ５８  表示部、  ６０  記憶部、  ６２  圧縮機、
６４  熱交換器、  ６６  ファン、  ６８  ガス富化ユニット、  ７０  減圧ポンプ、
７２  吐出口、  ７４  酸素供給主管、  ７６  吐出主管、  ７８  送風管、  
７８ａ  トラップ、  ８０  フィルタ装置、  ８２  フィルタ枠、  ８４  フィルタ網、
８６  吸引ノズル、  ８８  ガイドレール、  ９０  吸引ダクト、  ９２  吸引装置、
９４  排気ダクト、  ９６，９８  リミットスイッチ、  １００  ノズル本体、
１００ａ  ノズル開口部、  １０２  ベルト、  １０２ａ  吸引孔、  １０４  指示部、
１０６  吸引孔センサ、  １０８  駆動穴、  １１０  ステッピング・モータ、
１１２  歯車、  １１４  塵埃センサ、  １１６  シロッコファン、  １１８  開口部、
１２０  ステッピング・モータ、  １２２  開閉板、  １２４  シール材。
【図１】
2009002602.tif 000013
【図２】
2009002602.tif 000014
【図３】
2009002602.tif 000015
【図４】
2009002602.tif 000016
【図５】
2009002602.tif 000017
【図６】
2009002602.tif 000018
【図７】
2009002602.tif 000019
【図８】
2009002602.tif 000020
【図９】
2009002602.tif 000021
【図１０】
2009002602.tif 000022
【図１１】
2009002602.tif 000023
【図１２】
2009002602.tif 000024
【図１３】
2009002602.tif 000025
【図１４】
2009002602.tif 000026
【図１５】
2009002602.tif 000027
【図１６】
2009002602.tif 000028
【図１７】
2009002602.tif 000029
【図１８】
2009002602.tif 000030
【図１９】
2009002602.tif 000031
【図２０】
2009002602.tif 000032
【図２１】
2009002602.tif 000033
【図２２】
2009002602.tif 000034
【図２３】
2009002602.tif 000035
【図２４】
2009002602.tif 000036
【図２５】
2009002602.tif 000037
【図２６】
2009002602.tif 000038
【図２７】
2009002602.tif 000039
【図２８】
2009002602.tif 000040
【図２９】
2009002602.tif 000041
【図３０】
2009002602.tif 000042
【図３１】
2009002602.tif 000043
【図３２】
2009002602.tif 000044
【図３３】
2009002602.tif 000045
【図３４】
2009002602.tif 000046
【図３５】
2009002602.tif 000047
【図３６】
2009002602.tif 000048
【図３７】
2009002602.tif 000049
【図３８】
2009002602.tif 000050
【図３９】
2009002602.tif 000051
【図４０】
2009002602.tif 000052
【図４１】
2009002602.tif 000053
【図４２】
2009002602.tif 000054
【図４３】
2009002602.tif 000055
【図４４】
2009002602.tif 000056
【図４５】
2009002602.tif 000057
【図４６】
2009002602.tif 000058
【図４７】
2009002602.tif 000059
【図４８】
2009002602.tif 000060
【図４９】
2009002602.tif 000061
【図５０】
2009002602.tif 000062
【図５１】
2009002602.tif 000063
【図５２】
2009002602.tif 000064
【図５３】
2009002602.tif 000065
【図５４】
2009002602.tif 000066